(57)【特許請求の範囲】
【請求項１】
無線通信環境内でダウンリンクフロー制御を行うことを容易にする方法であって、
アクセス端末のハードウェアリソースのリソース使用を監視することと、
所与のタイムウィンドウ内に前記アクセス端末によって経験された平均検出ダウンリンクデータ伝送レートを決定することと、
前記アクセス端末にとって好ましいダウンリンクデータ伝送レートを前記監視されたリソース使用に応じて識別することと、ここで、前記好ましいダウンリンクデータ伝送レートは、前記アクセス端末に対して前記ハードウェアリソースを過負荷にすることを避ける、
前記監視されたリソース使用に基づいて、制御プロトコルデータユニットを生成することと、ここで、前記制御プロトコルデータユニットは、ダウンリンクデータ伝送レートを管理するための要求を備える、
前記制御プロトコルデータユニットを基地局に送信することと、
を備え、
前記制御プロトコルデータユニットを生成することは、
前記好ましいダウンリンクデータ伝送レートが前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含むタイプ１の媒体アクセス制御の制御プロトコルデータユニットを生成することと、
前記好ましいダウンリンクデータ伝送レートが前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含むタイプ２の媒体アクセス制御の制御プロトコルデータユニットを生成することと、
を備える方法。
【請求項２】
無線通信環境内でダウンリンクフロー制御を行うことを容易にする方法であって、
アクセス端末のハードウェアリソースのリソース使用を監視することと、
前記監視されたリソース使用に基づいて、前記アクセス端末に対するその後の伝送のために基地局によって使用される更新されたダウンリンクデータ伝送レートを決定することと、前記更新されたダウンリンクデータ伝送レートは、前記アクセス端末に対して前記ハードウェアリソースを過負荷にすることを避ける、
前記更新されたダウンリンクデータ伝送レートを、前記基地局によって使用されるために、以前信号を送ったダウンリンクデータ伝送レートと比較することと、
前記監視されたリソース使用に基づいて、制御プロトコルデータユニットを生成することと、ここで、前記制御プロトコルデータユニットは、ダウンリンクデータ伝送レートを管理するための要求を備える、
前記制御プロトコルデータユニットを基地局に送信することと、
を備え、
前記制御プロトコルデータユニットを生成することは、
前記更新されたダウンリンクデータ伝送レートが前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含むタイプ１の媒体アクセス制御の制御プロトコルデータユニットを生成することと、
前記更新されたダウンリンクデータ伝送レートが前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含むタイプ２の媒体アクセス制御の制御プロトコルデータユニットを生成することと、
を備える方法。
【請求項３】
所与のタイムウィンドウ内にアクセス端末によって経験された平均検出ダウンリンクデータ伝送レートを決定することと、
前記アクセス端末にとって好ましいダウンリンクデータ伝送レートを識別することと、ここで、前記好ましいダウンリンクデータ伝送レートは、前記アクセス端末に対してハードウェアリソースを過負荷にすることを避ける、
前記アクセス端末の前記ハードウェアリソースの監視されたリソース使用に基づいて制御プロトコルデータユニットを生成することと、ここで、前記制御プロトコルデータユニットは、ダウンリンクデータ伝送レートを制御するための要求を備える、
前記制御プロトコルデータユニットを基地局に送信することと、
に関係する命令を保持するメモリであって、
前記制御プロトコルデータユニットを生成することは、
前記好ましいダウンリンクデータ伝送レートが前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含む第１のタイプの制御プロトコルデータユニットを生成することと、
前記好ましいダウンリンクデータ伝送レートが前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含む第２のタイプの制御プロトコルデータユニットを生成することと、
を備える、メモリと
前記メモリと連結され、前記メモリ内に保持されている前記命令を実行するように構成されている、プロセッサと、
を備える無線通信装置。
【請求項４】
アクセス端末に対するその後の伝送のために基地局によって使用される更新されたダウンリンクデータ伝送レートを決定することと、前記更新されたダウンリンクデータ伝送レートは、前記アクセス端末に対してハードウェアリソースを過負荷にすることを避ける、
前記更新されたダウンリンクデータ伝送レートを、前記基地局によって使用されるために、以前信号を送ったダウンリンクデータ伝送レートと比較することと、
前記アクセス端末の前記ハードウェアリソースの監視されたリソース使用に基づいて制御プロトコルデータユニットを生成することと、ここで、前記制御プロトコルデータユニットは、ダウンリンクデータ伝送レートを制御するための要求を備える、
前記制御プロトコルデータユニットを基地局に送信することと、
に関係する命令を保持するメモリであって、
前記制御プロトコルデータユニットを生成することは、
前記更新されたダウンリンクデータ伝送レートが前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含む第１のタイプの媒体アクセス制御の制御プロトコルデータユニットを生成することと、
前記更新されたダウンリンクデータ伝送レートが前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含む第２のタイプの媒体アクセス制御の制御プロトコルデータユニットを生成することと、
を備えるメモリと、
前記メモリと連結され、前記メモリ内に保持されている前記命令を実行するように構成されている、プロセッサと、
を備える無線通信装置。
【請求項５】
無線通信環境内で制御プロトコルデータユニットを使用してフロー制御フィードバックを基地局に供給することを可能にする無線通信装置であって、
アクセス端末のハードウェアリソースのリソース利用を監視するための手段と、
所与のタイムウィンドウ内に前記アクセス端末によって経験された平均検出ダウンリンクデータ伝送レートを決定するための手段と、
前記アクセス端末にとって好ましいダウンリンクデータ伝送レートを前記監視されたリソース利用に応じて識別するための手段と、ここで、前記好ましいダウンリンクデータ伝送レートは、前記アクセス端末に対して前記ハードウェアリソースを過負荷にすることを避ける
前記監視されたリソース利用に応じて制御プロトコルデータユニットを生成するための手段と、ここで、前記制御プロトコルデータユニットは、ダウンリンクデータ伝送レートを制御するための要求を備える、
前記制御プロトコルデータユニットを基地局に送信するための手段と、
を備え、
前記制御プロトコルデータユニットを生成するための手段は、
前記好ましいダウンリンクデータ伝送レートが前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含むタイプ１の媒体アクセス制御の制御プロトコルデータユニットを生成するための手段と、
前記好ましいダウンリンクデータ伝送レートが前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含むタイプ２の媒体アクセス制御の制御プロトコルデータユニットを生成するための手段と、
を備える無線通信装置。
【請求項６】
無線通信環境内で制御プロトコルデータユニットを使用してフロー制御フィードバックを基地局に供給することを可能にする無線通信装置であって、
アクセス端末のハードウェアリソースのリソース利用を監視するための手段と、
前記監視されたリソース利用に基づいて、前記アクセス端末に対するその後の伝送のために基地局によって使用される更新されたダウンリンクデータ伝送レートを決定するための手段と、前記更新されたダウンリンクデータ伝送レートは、前記アクセス端末に対して前記ハードウェアリソースを過負荷にすることを避ける、
前記更新されたダウンリンクデータ伝送レートを、前記基地局によって使用されるために、以前信号を送ったダウンリンクデータ伝送レートと比較するための手段と、
前記監視されたリソース利用に応じて制御プロトコルデータユニットを生成するための手段と、ここで、前記制御プロトコルデータユニットは、ダウンリンクデータ伝送レートを制御するための要求を備える、
前記制御プロトコルデータユニットを基地局に送信するための手段と、
を備え、
前記制御プロトコルデータユニットを生成することは、
前記更新されたダウンリンクデータ伝送レートが前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含むタイプ１の媒体アクセス制御の制御プロトコルデータユニットを生成するための手段と、
前記更新されたダウンリンクデータ伝送レートが前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含むタイプ２の媒体アクセス制御の制御プロトコルデータユニットを生成するための手段と、
を備える無線通信装置。
【請求項７】
コンピュータに、
所与のタイムウィンドウ内にアクセス端末によって経験された平均検出ダウンリンクデータ伝送レートを決定させ、
前記アクセス端末にとって好ましいダウンリンクデータ伝送レートを識別させ、ここで、前記好ましいダウンリンクデータ伝送レートは、前記アクセス端末に対してハードウェアリソースを過負荷にすることを避ける、
前記アクセス端末の前記ハードウェアリソースの監視されたリソース使用に基づいて、制御プロトコルデータユニットを生成させ、ここで、前記制御プロトコルデータユニットは、ダウンリンクデータ伝送レートを制御するための要求を備える、
前記制御プロトコルデータユニットを基地局に送信させる、
ためのコードを備え、
前記制御プロトコルデータユニットを生成することは、
前記好ましいダウンリンクデータ伝送レートが前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含む第１のタイプの制御プロトコルデータユニットを生成することと、
前記好ましいダウンリンクデータ伝送レートが前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含む第２のタイプの制御プロトコルデータユニットを生成することと、
を備えるコンピュータプログラム。
【請求項８】
コンピュータに、
アクセス端末に対するその後の伝送のために基地局によって使用される更新されたダウンリンクデータ伝送レートを決定させ、前記更新されたダウンリンクデータ伝送レートは、前記アクセス端末に対してハードウェアリソースを過負荷にすることを避ける、
前記更新されたダウンリンクデータ伝送レートを、前記基地局によって使用されるために、以前信号を送ったダウンリンクデータ伝送レートと比較させ、
前記アクセス端末のハードウェアの前記監視されたリソース使用に基づいて、制御プロトコルデータユニットを生成させ、ここで、前記制御プロトコルデータユニットは、ダウンリンクデータ伝送レートを制御するための要求を備える、
前記制御プロトコルデータユニットを基地局に送信させる、
ためのコードを備え、
前記制御プロトコルデータユニットを生成することは、
前記更新されたダウンリンクデータ伝送レートが前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含む第１のタイプの媒体アクセス制御の制御プロトコルデータユニットを生成することと、
前記更新されたダウンリンクデータ伝送レートが前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含む第２のタイプの媒体アクセス制御の制御プロトコルデータユニットを生成することと、
を備えるコンピュータプログラム。
【請求項９】
無線通信環境内でアクセス端末からのフロー制御フィードバックに基づき前記アクセス端末に対するダウンリンクデータ伝送レートを制御することを容易にする方法であって、
前記アクセス端末からフロー制御フィードバックを供給する制御プロトコルデータユニットを受信することと、ここで、前記制御プロトコルデータユニットは、前記アクセス端末のハードウェアリソースの監視されたリソース使用に基づいている、
前記フロー制御フィードバックを認識するために前記制御プロトコルデータユニットを分析することと、
前記制御プロトコルデータユニットによって供給されたフロー制御フィードバックに基づいて、前記アクセス端末に対するダウンリンクデータ伝送レートを調節することと、
を備え、
調節することは、
前記制御プロトコルデータユニットの識別されたタイプに応じて、前記ダウンリンクデータ伝送レートを上げるか下げるかを決定することと、
前記制御プロトコルデータユニットから認識された整数値によって制御される割合だけ前記ダウンリンクデータ伝送レートを調節することと、
を備える方法。
【請求項１０】
コンピュータに、
アクセス端末からフロー制御フィードバックを供給する制御プロトコルデータユニットを取得させ、ここで、前記制御プロトコルデータユニットは、前記アクセス端末のハードウェアリソースの監視されたリソース使用に基づいて生成されている、
前記フロー制御フィードバックを識別するために前記制御プロトコルデータユニットを評価させ、
前記制御プロトコルデータユニットによって供給された前記フロー制御フィードバックに基づいて、前記アクセス端末に対するダウンリンクデータ伝送レートを変更させる、
ためのコードを備え、
変更することは、
前記制御プロトコルデータユニットの識別されたタイプに応じて、前記ダウンリンクデータ伝送レートを上げるか下げるかを決定することと、
前記制御プロトコルデータユニットから認識された整数値によって制御される割合だけ前記ダウンリンクデータ伝送レートを調節することと、
を備えるコンピュータプログラム。
【発明の詳細な説明】
【関連出願】
【０００１】
関連出願の相互参照  
本出願は、２００７年１２月２１日に出願した「ＭＥＴＨＯＤＳ  ＡＮＤ  ＡＰＰＡＲＡＴＵＳＥＳ  ＦＯＲ  ＤＯＷＮＬＩＮＫ  ＦＬＯＷ  ＣＯＮＴＲＯＬ」という表題の米国仮特許出願第６１／０１５，９８７号、および２００８年３月１３日に出願した「ＭＥＴＨＯＤＳ  ＡＮＤ  ＡＰＰＡＲＡＴＵＳＥＳ  ＦＯＲ  ＤＯＷＮＬＩＮＫ  ＦＬＯＷ  ＣＯＮＴＲＯＬ  ＵＴＩＬＩＺＩＮＧ  ＣＨＡＮＮＥＬ  ＱＵＡＬＩＴＹ  ＩＮＤＩＣＡＴＯＲ  （ＣＱＩ）」という表題の米国仮特許出願第６１／０３６，４０７号の利益を主張するものである。上記の出願の全体は、参照により本明細書に組み込まれる。
【技術分野】
【０００２】
以下の説明は、一般的には、無線通信に関し、より具体的には、ロング・ターム・エボリューション（ＬＴＥ）ベースの無線通信システムにおけるダウンリンクのフロー制御に利用することができるアクセス端末のリソース利用率に関係するフィードバックを供給することに関する。
【背景技術】
【０００３】
無線通信システムは、さまざまなタイプの通信を提供するために広く展開されており、たとえば、音声および／またはデータを、そのような無線通信システムを介して提供することができる。典型的な無線通信システムまたはネットワークでは、１つまたは複数の共有リソース（たとえば、帯域幅、送信電力、．．．）に対し複数のユーザがアクセスできる。たとえば、システムは、周波数分割多重方式（ＦＤＭ）、時分割多重方式（ＴＤＭ）、符号分割多重方式（ＣＤＭ）、直交周波数分割多重方式（ＯＦＤＭ）、および他の方式などのさまざまな多元接続技術を使用することができる。
【０００４】
一般に、無線多元接続通信システムは、複数のアクセス端末の通信を同時にサポートすることができる。それぞれのアクセス端末は、順方向リンクおよび逆方向リンク上の伝送により１つまたは複数の基地局と通信することができる。順方向リンク（またはダウンリンク）とは、基地局からアクセス端末への通信リンクのことであり、逆方向リンク（またはアップリンク）とは、アクセス端末から基地局への通信リンクのことである。この通信リンクは、単一入力単一出力システム、多入力単一出力システム、または多入力多出力（ＭＩＭＯ）システムを介して確立されることができる。
【０００５】
ＭＩＭＯシステムは、通例、データ伝送用に複数の（ＮＴ）送信アンテナと複数の（ＮＲ）受信アンテナを使用している。ＮＴ個の送信アンテナおよびＮＲ個の受信アンテナによって形成されるＭＩＭＯチャネルを、ＮＳ個の独立チャネルに分解することができ、この独立チャネルは、空間チャネルとも称することができる。ここで、ＮＳ≦｛ＮＴ，ＮＲ｝である。ＮＳ個の独立チャネルのそれぞれが、１つの次元に対応する。さらに、ＭＩＭＯシステムは、複数の送信アンテナおよび受信アンテナによって作成される追加の次元数が利用される場合に、改善された性能（たとえば、高いスペクトル効率、より高いスループットおよび／またはより高い信頼性）を提供することができる。
【０００６】
ＭＩＭＯシステムは、共通物理媒体上で通信を順方向リンクと逆方向リンクに分割するさまざまな複信技術をサポートすることができる。たとえば、周波数分割複信（ＦＤＤ）システムは、順方向リンク通信と逆方向リンク通信とに本質的に異なる周波数領域を使用することができる。さらに、時分割複信（ＴＤＤ）システムでは、相反定理により逆方向リンクチャネルからの順方向リンクチャネルの推定が可能になるように、順方向リンク通信および逆方向リンク通信に共通周波数領域を使用することができる。
【０００７】
無線通信システムは、しばしば、カバレージエリアを提供する１つまたは複数の基地局を使用する。典型的な基地局は、ブロードキャスト、マルチキャスト、および／またはユニキャストサービス用に複数のデータストリームを送信することができるが、ただし、データストリームは、アクセス端末にとって独立した受信対象となりうるデータの流れとすることができる。複合ストリームによって伝送される１つの、複数の、またはすべてのデータストリームを受信するために、そのような基地局のカバレージエリアの中にあるアクセス端末を使用できる。同様に、アクセス端末は、基地局または別のアクセス端末にデータを送信することができる。
【０００８】
アクセス端末は、典型的には、マルチメディアおよび多数の異なる同時実行アプリケーション（たとえば、電子メール、音声、ビデオ、．．．）をサポートする。ロング・ターム・エボリューション（ＬＴＥ）ベースの環境を使用すると、非常に高いデータレートのサポートが可能になる（たとえば、１００Ｍビット／秒、３００Ｍビット／秒、．．．程度のデータレートでダウンリンにわたってデータを送信することができる）。さらに、それぞれのアプリケーションは、アクセス端末に一定量のリソースを要求することがある（たとえば、処理能力、バッファ、電池電力、．．．）。さらに、所定の時間に必要になるリソースの量は、動的に変化しうる。
【０００９】
アクセス端末は、達成することが可能なすべてのアプリケーションの最大瞬間要求リソース量の総和に対応できるように設計されうることは理解されるであろう。しかしながら、アクセス端末に関連するコストを妥当なレベルに維持するために、共通負荷に比べて著しく大きくなる可能性のあるピーク瞬間要求リソース量ではなく共通負荷条件を満たすようにアクセス端末を設計することができる。たとえば、アクセス端末がダウンリンクを介してピークレートでデータを同時受信している間に、アクセス端末によってサポートされているすべてのアプリケーションがたまたま同時に起動したときにピーク瞬間要求リソース量に達することがある。したがって、長時間にわたりピークレートで運用可能な状態を持続することができるアクセス端末よりはむしろ短時間でよいからピークレートに対応できるようなアクセス端末を備え、これにより、アクセス端末に関連するコストを著しく低減することができる。
【００１０】
アクセス端末が余裕のある設計でない（たとえば、長時間にわたってピーク瞬間要求リソース量ではなく共通負荷条件に対応できるように設計されている、．．．）場合、リソース不足に陥る可能性がある。アクセス端末の利用可能なリソースが少ない場合、アクセス端末は、その負荷を低減することを試みることができる。しかしながら、ＬＴＥは、今のところ、アクセス端末にリソース低下が生じているときに、アクセス端末からフィードバックを基地局に送る機能をサポートすることができていない。たとえば、基地局が、長時間にわたって高速（たとえば、１００Ｍビット／秒、．．．）でアクセス端末にデータを送信している場合、アクセス端末は、そのようなダウンリンクデータの処理に対応できなくなり、および／またはバッファが一杯になってしまう可能性があり、それと同時に、アクセス端末は、ダウンリンク伝送レートを下げるよう基地局に通知できる手段を持たないことがある。
【００１１】
ＵＭＴＳ  テレストリアル無線アクセス・ネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）では、フロー制御は、無線リンク制御（ＲＬＣ：Ｒａｄｉｏ  Ｌｉｎｋ  Ｃｏｎｔｒｏｌ）でサポートされる。例によれば、ＵＴＲＡＮで動作中のアクセス端末は、フロー制御を目的として基地局の送信ウィンドウサイズを設定することができ、したがって、アクセス端末が輻輳している場合、アクセス端末は、基地局の送信ウィンドウサイズを縮小することができる。しかし、ＲＬＣは、ＬＴＥにおいて再定義されているため、ＵＴＲＡＮで使用されている上述のフロー制御技術は、ＬＴＥに適用可能でない。したがって、フロー制御にＲＬＣを利用しようとしてもＬＴＥでは動作しない。
【発明の概要】
【００１２】
以下では、１つまたは複数の実施形態の基本的な理解を深められるように、そのような実施形態の単純化された要約を提示する。この概要は、すべての企図される実施形態の網羅的な概要ではなく、すべての実施形態の主要なまたは重大な要素を同定することも、いずれかまたはすべての実施形態の範囲を画定することも意図されてはいない。その唯一の目的は、後で提示されるより詳細な説明の前置きとして、単純化された形で１つまたは複数の実施形態のいくつかの概念を提示することである。
【００１３】
１つまたは複数の実施形態および対応するその開示によれば、ダウンリンクデータ伝送レートを制御するためにフロー制御フィードバックの供給を容易にすることに関連してさまざまな態様が説明される。フロー制御フィードバックをアクセス端末から基地局に送信するために、さまざまな方式を使用することができる。たとえば、制御ＰＤＵ（たとえば、ＭＡＣ制御ＰＤＵ、ＰＤＣＰ制御ＰＤＵ）を、アクセス端末のリソース利用度に基づいて生成し、ダウンリンクデータ伝送レートを制御するために基地局に送信することができる。この実施例に従うと、制御ＰＤＵのタイプ、制御ＰＤＵ内に含まれる値などを、リソース利用度に応じて選択することができる。他の例では、アクセス端末に関連するリソース利用度に応じて選択された値を含むＣＱＩレポートを生成して、ダウンリンクデータ伝送レートを制御するために基地局に送信することができる。
【００１４】
本明細書では、関連する態様に従って、無線通信環境内でダウンリンクフロー制御を行うことを容易にする方法について説明する。この方法は、アクセス端末に関連するリソース使用量を監視することを含むことができる。さらに、この方法は、アクセス端末に関連するリソース使用量に基づいて制御プロトコルデータユニット（ＰＤＵ）を生成することを備えることができる。さらに、この方法は、ダウンリンクデータ伝送レートを管理するために制御ＰＤＵを基地局に送信することを含むことができる。
【００１５】
他の態様は、無線通信装置に関係する。無線通信装置は、アクセス端末に関連する検出されたリソース使用量に基づいて制御プロトコルデータユニット（ＰＤＵ）を生成すること、およびダウンリンクデータ伝送レートを制御するために制御ＰＤＵを基地局に送信することに関係する命令を保持するメモリを備えることができる。さらに、無線通信装置は、メモリと連結され、メモリ内に保持されている命令を実行するように構成されている、プロセッサを備えることができる。
【００１６】
さらに他の態様は、無線通信環境内で制御プロトコルデータユニット（ＰＤＵ）を使用してフロー制御フィードバックを基地局に供給することを可能にする無線通信装置に関係する。無線通信装置は、アクセス端末に関連するリソース利用率を追跡するための手段を備えることができる。さらに、無線通信装置は、アクセス端末に関連するリソース利用率に応じて制御ＰＤＵを生成するための手段も備えることができる。さらに、無線通信装置は、ダウンリンクデータ伝送レートを制御するために制御ＰＤＵを基地局に送信するための手段を備えることができる。
【００１７】
さらに他の態様は、コンピュータ可読媒体を備えることができるコンピュータプログラム製品に関係する。コンピュータ可読媒体は、アクセス端末に関連する検出されたリソース使用量に基づいて制御プロトコルデータユニット（ＰＤＵ）を生成するためのコードを格納することができる。さらに、コンピュータ可読媒体は、ダウンリンクデータ伝送レートを制御するために制御ＰＤＵを基地局に送信するためのコードを格納することができる。
【００１８】
本明細書では、他の態様に従って、無線通信環境内でダウンリンクフロー制御を行うことを容易にする方法について説明する。この方法は、アクセス端末に関連するリソース利用度を検出することを含むことができる。さらに、この方法は、アクセス端末に関連するリソース利用度に応じて選択された値を含むチャネル品質インジケータ（ＣＱＩ）レポートを生成することを含むことができる。さらに、この方法は、ダウンリンクデータ伝送レートを制御するために選択された値を含むＣＱＩレポートを基地局に送信することを含むことができる。
【００１９】
さらに他の態様は、アクセス端末に関連するリソース利用度を検出すること、アクセス端末に関連するリソース利用度に応じて選択された値を含むチャネル品質インジケータ（ＣＱＩ）レポートを生成すること、およびダウンリンクデータ伝送レートを制御するために選択された値を含むＣＱＩレポートを基地局に送信することに関係する命令を保持するメモリを備えることができる無線通信装置に関係する。さらに、この無線通信装置は、メモリと連結され、メモリに保持された命令を実行するように構成されたプロセッサを備えることができる。
【００２０】
他の態様は、無線通信環境内でチャネル品質インジケータ（ＣＱＩ）レポートを使用して基地局へのフロー制御フィードバックを生成することを可能にする無線通信装置に関係する。無線通信装置は、アクセス端末に関連するリソース利用率を検出するための手段を備えることができる。さらに、無線通信装置は、アクセス端末に関連するリソース利用率に応じて選択された値を含むＣＱＩレポートを生成するための手段も備えることができる。さらに、無線通信装置は、ダウンリンクデータ伝送レートを制御するために選択された値を含むＣＱＩレポートを基地局に送信するための手段を備えることができる。
【００２１】
さらに他の態様は、コンピュータ可読媒体を備えることができるコンピュータプログラム製品に関係する。コンピュータ可読媒体は、アクセス端末に関連するリソース利用度を検出するためのコードを格納することができる。さらに、コンピュータ可読媒体は、アクセス端末に関連するリソース利用度に応じて選択された値を含むチャネル品質インジケータ（ＣＱＩ）レポートを生成するためのコードを格納することができる。さらに、コンピュータ可読媒体は、ダウンリンクデータ伝送レートを制御するために選択された値を含むＣＱＩレポートを基地局に送信するためのコードを格納することができる。
【００２２】
本明細書では、他の態様に従って、無線通信環境内でアクセス端末からのフロー制御フィードバックに基づきアクセス端末に対するダウンリンクデータ伝送レートを制御することを容易にする方法について説明する。この方法は、アクセス端末からフロー制御フィードバックを供給する制御プロトコルデータユニット（ＰＤＵ）を受信することを含むことができる。さらに、この方法は、フロー制御フィードバックを認識するために制御ＰＤＵを分析することを備えることができる。さらに、この方法は、制御ＰＤＵによって供給されるフロー制御フィードバックに基づいてアクセス端末のダウンリンクデータ伝送レートを調節することを含むことができる。
【００２３】
他の態様は、無線通信装置に関係する。無線通信装置は、アクセス端末からフロー制御フィードバックに対応する値を含むチャネル品質インジケータ（ＣＱＩ）レポートを受信すること、フロー制御フィードバックを調べるためにＣＱＩレポートに含まれる値を評価すること、およびＣＱＩレポートによって供給されるフロー制御フィードバックに基づいてアクセス端末のダウンリンクデータ伝送レートを調節することに関係する命令を保持するメモリを備えることができる。さらに、無線通信装置は、メモリと連結され、メモリ内に保持されている命令を実行するように構成されている、プロセッサを備えることができる。
【００２４】
さらに他の態様は、無線通信環境内でフロー制御フィードバックを使用してダウンリンクデータ伝送レートを変更することを可能にする無線通信装置に関係する。無線通信装置は、アクセス端末からフロー制御フィードバックに対応する値を含むチャネル品質インジケータ（ＣＱＩ）レポートを取得するための手段を備えることができる。さらに、無線通信装置は、フロー制御フィードバックを識別するためにＣＱＩレポートに含まれる値を分析するための手段を備えることができる。さらに、無線通信装置は、ＣＱＩレポートによって供給されるフロー制御フィードバックに基づいてアクセス端末のダウンリンクデータ伝送レートを修正するための手段を備えることができる。
【００２５】
さらに他の態様は、コンピュータ可読媒体を備えることができるコンピュータプログラム製品に関係する。コンピュータ可読媒体は、アクセス端末からフロー制御フィードバックを供給する制御プロトコルデータユニット（ＰＤＵ）を取得するためのコードを格納することができる。さらに、コンピュータ可読媒体は、フロー制御フィードバックを識別するために制御ＰＤＵを評価するためのコードを格納することができる。さらに、コンピュータ可読媒体は、制御ＰＤＵによって供給されるフロー制御フィードバックに基づいてアクセス端末のダウンリンクデータ伝送レートを変更するためのコードを格納することができる。
【００２６】
前述の目的および関連する目的の達成のために、１つまたは複数の実施形態は、以下で十分に説明され、特に特許請求の範囲で指摘される特徴を備える。本明細書で述べる説明および添付図面は、その１つまたは複数の実施形態のいくつかの例示的態様を詳細に示す。しかし、これらの態様は、さまざまな実施形態の原理を使用できるさまざまな形のうちの少数のみを示すものであり、説明される実施形態は、すべてのそのような態様およびその同等物を含むことが意図されている。
【図面の簡単な説明】
【００２７】
【図１】本明細書で説明されるさまざまな態様による無線通信システムを示す図。
【図２】無線通信環境内でダウンリンクフロー制御を使用する例示的なシステムを示す図。
【図３】無線通信環境内でフロー制御フィードバックを供給するために制御ＰＤＵを使用する例示的なシステムを示す図。
【図４】無線通信環境内でチャネル品質インジケータ（ＣＱＩ）ベースのダウンリンクフロー制御を使用する例示的なシステムを示す図。
【図５】アクセス端末からフィードバックを基地局に供給するためにＣＱＩ値を使用する定期的フロー制御報告機能を示す例示的なタイミング図を示す図。
【図６】測定されたＣＱＩ値とリソース依存ＣＱＩ値との例示的な比較を示す図。
【図７】無線通信環境内でダウンリンクフロー制御を行うことを容易にする例示的な方法を示す図。
【図８】無線通信環境内でダウンリンクフロー制御を行うことを容易にする他の例示的な方法を示す図。
【図９】無線通信環境内でアクセス端末からのフロー制御フィードバックに基づきアクセス端末に対するダウンリンクデータ伝送レートを制御することを容易にする例示的な方法を示す図。
【図１０】無線通信環境内でアクセス端末に対するダウンリンクデータ伝送レートを管理するためにフロー制御フィードバックを使用することを容易にする例示的な方法を示す図。
【図１１】無線通信システム内でフロー制御フィードバックを生成する例示的なアクセス端末を示す図。
【図１２】無線通信環境内でダウンリンクデータ伝送レートを管理するために取得されたフロー制御フィードバックを利用する例示的なシステムを示す図。
【図１３】本明細書で説明されているさまざまなシステムおよび方法とともに使用されうる例示的な無線ネットワーク環境を示す図。
【図１４】無線通信環境内で制御プロトコルデータユニット（ＰＤＵ）を使用してフロー制御フィードバックを基地局に供給することを可能にする例示的なシステムを示す図。
【図１５】無線通信環境内でチャネル品質インジケータ（ＣＱＩ）レポートを使用して基地局へのフロー制御フィードバックを生成することを可能にする例示的なシステムを示す図。
【図１６】無線通信環境内でフロー制御フィードバックを使用してダウンリンクデータ伝送レートを調節することを可能にする例示的なシステムを示す図。
【図１７】無線通信環境内でフロー制御フィードバックを使用してダウンリンクデータ伝送レートを変更することを可能にする例示的なシステムを示す図。
【発明を実施するための形態】
【００２８】
次に、さまざまな実施形態について、図面を参照しつつ説明するが、図面全体を通して、同様の符号は同様の要素を参照するのに使用される。以下の説明では、説明を目的として、１つまたは複数の実施形態を完全に理解できるように多数の具体的な詳細を示す。しかし、そのような実施形態（１つまたは複数）を、これらの具体的な詳細なしで実践できることは明白であろう。他の場合には、１つまたは複数の実施形態の説明を容易にするために、周知の構造およびデバイスを、ブロック図形式で示す。
【００２９】
本出願で使用されているように、用語「コンポーネント」、「モジュール」、「システム」、および同様の用語は、コンピュータ関連のエンティティ、つまりハードウェア、ファームウェア、ハードウェアとソフトウェアの組み合わせ、ソフトウェア、または実行中のソフトウェアのいずれかを指すことを意図されている。たとえば、コンポーネントを、プロセッサ上で動作するプロセス、プロセッサ、オブジェクト、実行可能ファイル、実行中のスレッド、プログラム、および／またはコンピュータとすることができるが、これらに限定はされない。一例として、コンピューティングデバイスで動作するアプリケーションとそのコンピューティングデバイスとの両方を、コンポーネントとすることができる。１つまたは複数のコンポーネントが、１つのプロセスおよび／または実行中のスレッド内に常駐することができ、１つのコンポーネントを、１つのコンピュータ上に局所化し、かつ／または複数のコンピュータの間で分散させることができる。それに加えて、これらのコンポーネントは、そこにさまざまなデータ構造を格納されたさまざまなコンピュータ可読媒体から実行することができる。コンポーネントは、１つまたは複数のデータパケットを有する信号（たとえば、信号によって、ローカルシステム内の別のコンポーネント、分散システム、および／または他のシステムとのインターネットなどのネットワークにまたがって相互作用するあるコンポーネントからのデータ）によるなど、ローカルプロセスおよび／またはリモートプロセスによって通信することができる。
【００３０】
本明細書で説明されている技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および他のシステムなどのさまざまな無線通信システムに使用することができる。用語「システム」、および「ネットワーク」は、しばしば交換可能に使用される。ＣＤＭＡシステムは、ユニバーサル・テレストリアル無線アクセス（ＵＴＲＡ：Ｕｎｉｖｅｒｓａｌ  Ｔｅｒｒｅｓｔｒｉａｌ  Ｒａｄｉｏ  Ａｃｃｅｓｓ）、ＣＤＭＡ２０００などの無線テクノロジを実装するものとすることができる。ＵＴＲＡは、広帯域ＣＤＭＡ（Ｗ−ＣＤＭＡ）およびＣＤＭＡの他の変更形態を含む。ＣＤＭＡ２０００は、ＩＳ−２０００標準規格、ＩＳ−９５標準規格、およびＩＳ−８５６標準規格を包含する。ＴＤＭＡシステムは、移動通信用グローバルシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）などの無線テクノロジを実装するものとすることができる。ＯＦＤＭＡシステムは、進化ＵＴＲＡ（Ｅ−ＵＴＲＡ）、ウルトラ・モバイル・ブロードバンド（ＵＭＢ：Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線テクノロジを実装するものとすることができる。ＵＴＲＡおよびＥ−ＵＴＲＡは、ユニバーサル・モバイル電気通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ロング・ターム・エボリューション（ＬＴＥ）は、Ｅ−ＵＴＲＡを使用するＵＭＴＳの来たるリリースであり、Ｅ−ＵＴＲＡは、ダウンリンクでＯＦＤＭＡ、アップリンクでＳＣ−ＦＤＭＡを使用する。
【００３１】
単一搬送波周波数分割多元接続（ＳＣ−ＦＤＭＡ）では、単一搬送波変調および周波数領域等化処理を利用する。ＳＣ−ＦＤＭＡは、ＯＦＤＭＡシステムと同様の性能を有し、また全体的な複雑さはそれと本質的に同じである。ＳＣ−ＦＤＭＡ信号は、その単一搬送波構造が固有のものであるため低いピーク対平均電力比（ＰＡＰＲ）を有する。ＳＣ−ＦＤＭＡは、たとえば、ＰＡＰＲが低いことが送信電力効率に関してアクセス端末にとって非常に有利である、アップリンク通信において使用することができる。したがって、ＳＣ−ＦＤＭＡは、３ＧＰＰ  ロング・ターム・エボリューション（ＬＴＥ）または進化ＵＴＲＡではアップリンク多元接続方式として実装することができる。
【００３２】
さらに、さまざまな実施形態が、アクセス端末に関連して本明細書で説明されている。アクセス端末は、システム、加入者ユニット、加入者局、移動局、移動体、遠隔局、遠隔端末、モバイルデバイス、ユーザ端末、端末、無線通信デバイス、ユーザエージェント、ユーザデバイス、またはユーザ装置（ＵＥ）と称されることもある。アクセス端末としては、携帯電話、無線電話、セッション・イニシエーション・プロトコル（ＳＩＰ）電話、無線ローカル・ループ（ＷＬＬ）局、携帯情報端末（ＰＤＡ）、無線接続機能を有するハンドヘルドデバイス、コンピューティングデバイス、または無線モデムに接続されている他の処理デバイスが挙げられる。さらに、さまざまな実施形態を、本明細書で基地局に関連して説明する。基地局は、（１つまたは複数の）アクセス端末と通信するために使用でき、アクセスポイント、ノードＢ、進化ノード  Ｂ（ｅＮｏｄｅＢ）、または他の何らかの呼称で参照できる。
【００３３】
本明細書で説明されるさまざまな態様または特徴を、標準的なプログラミング技法および／または工学技法を使用して、方法、装置、または製造品として実装することができる。本明細書で使用されるような「製造品」という用語は、任意のコンピュータ可読デバイス、搬送波、または媒体からアクセス可能なコンピュータプログラムを包含することが意図されている。たとえば、コンピュータ可読媒体としては、限定はしないが、磁気記憶デバイス（たとえば、ハードディスク、フロッピディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）が挙げられる。さらに、本明細書で説明するさまざまな記憶媒体は、情報を格納する１つまたは複数のデバイスおよび／または他の機械可読媒体を表すことができる。「機械可読媒体」という用語は、限定はしないが、命令（１つまたは複数）および／またはデータを格納すること、含むこと、および／または搬送することのできる無線チャネルおよびさまざまな他の媒体を含むことができる。
【００３４】
今、図１を参照すると、本明細書で提示されるさまざまな実施形態による無線通信システム１００が示されている。システム１００は、複数のアンテナグループを含むことができる基地局１０２を備える。たとえば、１つのアンテナグループは、アンテナ１０４および１０６を含むことができ、別のグループは、アンテナ１０８および１１０を備えることができ、追加のグループは、アンテナ１１２および１１４を含むことができる。２つのアンテナが、アンテナグループごとに図示されているが、より多数またはより少数のアンテナを、グループごとに利用することができる。基地局１０２は、さらに、送信機チェーンおよび受信機チェーンを含むことができ、送信機チェーンおよび受信機チェーンのそれぞれは、当業者によって了解されるように、信号の送信および受信に関連する複数のコンポーネント（たとえば、プロセッサ、変調器、多重化装置、復調器、多重分離装置、アンテナなど）を備えることができる。
【００３５】
基地局１０２は、アクセス端末１１６およびアクセス端末１２２などの１つまたは複数のアクセス端末と通信することができるが、基地局１０２は、アクセス端末１１６および１２２に似た実質的に任意の数のアクセス端末と通信することができることが理解されるであろう。アクセス端末１１６および１２２は、たとえば、携帯電話、スマートフォン、ラップトップ、ハンドヘルド通信デバイス、ハンドヘルドコンピューティングデバイス、衛星ラジオ、全地球測位システム、ＰＤＡ、および／または無線通信システム１００上で通信を行うのに好適な他のデバイスとしてよい。図示されているように、アクセス端末１１６は、アンテナ１１２および１１４と通信状態にあり、その場合、アンテナ１１２および１１４は、順方向リンク１１８上でアクセス端末１１６に情報を送信し、逆方向リンク１２０上でアクセス端末１１６から情報を受信する。さらに、アクセス端末１２２は、アンテナ１０４および１０６と通信状態にあり、その場合、アンテナ１０４および１０６は、順方向リンク１２４上でアクセス端末１２２に情報を送信し、逆方向リンク１２６上でアクセス端末１２２から情報を受信する。周波数分割複信（ＦＤＤ）システムでは、たとえば、順方向リンク１１８は、逆方向リンク１２０によって使用されるものとは異なる周波数帯を利用することができ、順方向リンク１２４は、逆方向リンク１２６によって使用されるものとは異なる周波数帯を利用することができる。さらに、時分割複信（ＴＤＤ）システムでは、順方向リンク１１８および逆方向リンク１２０は、共通の周波数帯を利用することができ、順方向リンク１２４および逆方向リンク１２６は、共通の周波数帯を利用することができる。
【００３６】
アンテナの各グループおよび／またはそれらが通信するように指定されたエリアを、基地局１０２のセクタと呼ぶことができる。たとえば、アンテナグループは、基地局１０２によってカバーされるエリアの１つのセクタ内にあるアクセス端末と通信するように設計されうる。順方向リンク１１８および１２４上での通信では、基地局１０２の送信アンテナは、アクセス端末１１６および１２２に対する順方向リンク１１８および１２４の信号対雑音比を改善するためにビーム形成を使用することができる。また、基地局１０２は、ビーム形成を使用し関連する受信可能範囲を通じてランダムに散らばるアクセス端末１１６および１２２に伝送を行うが、隣接セル内のアクセス端末に及ぶ干渉は、単一アンテナを通じてそのすべてのアクセス端末に伝送する基地局に比べて少ないものとすることができる。
【００３７】
システム１００において、アクセス端末１１６、１２２は、それぞれ、各リソース利用率を監視することができる。たとえば、アクセス端末１１６、１２２のリソースとしては、プロセッササイクル、電力レベル、バッファの利用可能性、バス帯域幅などが挙げられる。一例として、ロング・ターム・エボリューション（ＬＴＥ）では、アクセス端末１１６、１２２は非常に高いデータレートに対応できる。費用効果の高い実装であるため、アクセス端末１１６、１２２のリソースは、所定のシナリオでは不足する可能性がある（たとえば、アクセス端末１１６、１２２が高いレートでダウンリンクを介してデータを受信しているときにユーザアプリケーションが起動された場合、．．．）。したがって、システム１００は、ダウンリンクのフロー制御を達成できる。アクセス端末１１６、１２２は、各リソース利用率を監視することによって、各ダウンリンクデータ伝送レートの低減を要求する基地局１０２にフィードバックを送信して、それぞれの個別アクセス端末１１６、１２２に対するリソース要求要件を一時的に軽減することができる。さらに、特定のアクセス端末１１６、１２２のリソース利用度が通常（たとえば、非上昇レベル、閾値以下、．．．）に戻った場合、特定のアクセス端末１１６、１２２が、ダウンリンクで通常のデータ伝送を再開するよう基地局１０２に要求を送信することができる。したがって、アクセス端末１１６、１２２は、フロー制御フィードバックを基地局１０２に送信することができ、また基地局１０２は、スループットを低くすること（たとえば、各アクセス端末１１６、１２２のリソース利用率が低い場合、．．．）、および／またはスループットを高くすること（たとえば、各アクセス端末１１６、１２２のリソース利用率が通常に戻ったとき、．．．）によって、そのフィードバックに応えることができる。
【００３８】
システム１００は、リソースを制限されているアクセス端末（たとえば、アクセス端末１１６、アクセス端末１２２、．．．）が基地局１０２によるデータの送信を抑制するための標準化されたフロー制御手順を利用して、基地局１０２が物理リソースを他のアクセス端末に有利に再分配することを可能にすることができる。本明細書で説明されているようなダウンリンクフロー制御には、非常に大きなメリットがある。たとえば、ダウンリンクフロー制御は、アクセス端末の実装に柔軟に対応することができ、その結果、アクセス端末１１６、１２２に関連するコストを削減することができる（たとえば、アクセス端末は、アプリケーション間でいくつかのリソースを共有して、多重化の利益を得ることができる、．．．）。さらに、ダウンリンクフロー制御は、アクセス端末１１６、１２２を過負荷シナリオから保護することができる。さらに、ダウンリンクフロー制御は、アクセス端末１１６、１２２が高ピークデータレートをうまく処理し、そのようなアクセス端末１１６、１２２の能力を過剰に高めることなくデータレート比を平均化するための効果的手段となりうる。ダウンリンクフロー制御を用いると、結果として、ユーザエクスペリエンスを高めることもできる（たとえば、ユーザアプリケーションの起動を高速化できる、アクセス端末１１６、１２２がアプリケーションの起動中にフロー制御を呼び出して一時的にベストエフォート型のフローを減らすことができる、．．．）。
【００３９】
図２を参照すると、無線通信環境内でダウンリンクフロー制御を使用するシステム２００が例示されている。システム２００は、情報、信号、データ、命令、コマンド、ビット、シンボル、および同様のものの送信および／または受信を実行することができるアクセス端末２０２を備える。アクセス端末２０２は、順方向リンクおよび／または逆方向リンクを介して１つの基地局２０４と通信することができる。基地局２０４は、情報、信号、データ、命令、コマンド、ビット、シンボル、および同様のものの送信および／または受信を実行することができる。さらに、図示されていないが、システム２００内にアクセス端末２０２に類似するアクセス端末をいくつでも備えることができること、および／またはシステム２００内に基地局２０４に類似する基地局をいくつでも備えることができることが考えられる。
【００４０】
アクセス端末２０２は、リソースモニタ２０６およびフロー制御フィードバックジェネレータ２０８をさらに備える。リソースモニタ２０６は、アクセス端末２０２のリソースの利用を分析することができる。たとえば、リソースは、処理速度、プロセッササイクル、電池電力、バッファサイズ、バス速度などに関係するものとすることができる。リソースモニタ２０６は、アクセス端末２０２に生じる輻輳レベルを識別することができる。したがって、リソースモニタ２０６は、アクセス端末２０２が電流負荷を処理できないようなアクセス端末２０２の過負荷を認識することができる（たとえば、リソースモニタ２０６は、アクセス端末２０２のリソースがダウンリンク上で受信される現在のトラフィックを処理するには不十分であると判定することができる）。一例として、リソースモニタ２０６は、リソース利用率が閾値より高いか、または低いか（たとえば、アクセス端末２０２に過負荷がかかっているかどうか、．．．）を判定することができる。他の実施例によれば、リソースモニタ２０６は、リソース利用度（たとえば、１つまたは複数のリソースの使用の割合、リソースモニタ２０６がリソース利用率をより細かく表示することができる、．．．）を判定することができる。
【００４１】
フロー制御フィードバックジェネレータ２０８は、リソースモニタ２０６によって識別されたリソース利用情報を用いて、ダウンリンクスループットを変えるために基地局２０４に送信することができるフィードバックを生成することができる。一例として、リソースモニタ２０６は、過負荷状態を検出することができ、この検出結果に基づいて、フロー制御フィードバックジェネレータ２０８が、ダウンリンクスループットの調節を要求するために基地局２０４に送信することができる、フロー制御フィードバックを出力することができる。さらに、リソースモニタ２０６は、アクセス端末２０２のリソースが過負荷にならないことを認識することができ、したがって、フロー制御フィードバックジェネレータ２０８は、基地局２０４に送信することができる対応するフィードバックを生成することができる。さらに、フロー制御フィードバックジェネレータ２０８は、アクセス端末２０２の能力に応じてフィードバックを供給することができる。フロー制御フィードバックジェネレータ２０８によって生成されたフロー制御フィードバックは、アクセス端末２０２に基地局２０４によって割り当てられたダウンリンクスループットの変更を引き起こすために使用されうる。
【００４２】
さまざまなタイプのフロー制御フィードバックの使用は、本明細書に付属する請求項の範囲内にあることが意図されていることも理解されるであろう。たとえば、フロー制御フィードバックジェネレータ２０８によって生成されたフロー制御フィードバックでは、制御プロトコルデータユニット（ＰＤＵ）の利用を活かすことができる。他の実施例によれば、フロー制御フィードバックジェネレータ２０８は、チャネル品質インジケータ（ＣＱＩ）レポートを使用して、フロー制御フィードバックを基地局２０４に送信することができる。
【００４３】
基地局２０４は、アクセス端末２０２からフロー制御フィードバックを受信することができる（それだけでなく、基地局２０４のサービスを受けるアクセス端末２０２に類似の任意の異なる（１つまたは複数の）アクセス端末（図示されていない）からフロー制御フィードバックを受信することもできる）。基地局２０４は、得られたフロー制御フィードバックを調べるフィードバック分析器２１０を備えることができる。フィードバック分析器２１０は、アクセス端末２０２がダウンリンクスループットの調節を要求したかどうかの認識のためにフロー制御フィードバックを復号化することができる。他の実施例によれば、フィードバック分析器２１０は、アクセス端末２０２によって要求されたダウンリンクスループット調節量を識別するためにフロー制御フィードバックを評価することができる。他の実施例によれば、フィードバック分析器２１０は、アクセス端末２０２からのフロー制御フィードバックの調査結果に基づきアクセス端末２０２に関連する能力を認識することができる。
【００４４】
さらに、基地局２０４は、アクセス端末２０２のフロー制御フィードバックジェネレータ２０８によって生成されたフロー制御フィードバックの評価結果に基づいてアクセス端末２０２に割り当てられているダウンリンクスループットを変更するダウンリンクスケジューラ２１２を備えることができる。同様に、ダウンリンクスケジューラ２１２は、任意の異なるサービスを受ける（１つまたは複数の）アクセス端末に割り当てられたダウンリンクスループットを調節することができる。たとえば、フロー制御は、アクセス端末２０２から他のコマンドが受信されない限り、アクセス端末２０２に対しダウンリンクスケジューラ２１２によって割り当てられたダウンリンクスループットレベルを保持するために基地局２０４によって受信されたコマンドを使用することができるようにスティッキーとすることができる（たとえば、ダウンリンクスループットは、その後のコマンドを取得するまで更新状態のままである、．．．）。他の例では、フロー制御は、コマンドが一定期間有効であって、ダウンリンクスケジューラ２１２がコマンドに関連する期間の終了後にダウンリンクスループットをデフォルトのレート（たとえば、最大レート、．．．）に調節することができるように（たとえば、その期間の終了後にダウンリンクスループットが更新状態から元の状態に戻るように）一時的とすることができる。さらに、フロー制御は、アクセス端末２０２および／または基地局２０４によって実行されるアプリケーションに応じてスティッキーまたは一時的とすることができることも考えられる。
【００４５】
一実施例によれば、フロー制御フィードバックジェネレータ２０８（または一般的にアクセス端末２０２）がフロー制御のレートを制御することができると考えられる。この実施例に従って、フロー制御コマンドを送信するためのアップリンクの利用を制限するために、上位層では、アクセス端末２０２がタイマのタイムアウト前にフロー制御コマンドを送信するのを禁止できるタイマを構成することができる（たとえば、アクセス端末２０２による直前のフロー制御コマンド送信の間の最小持続時間を設定する、．．．）。他の例によれば、フロー制御フィードバックジェネレータ２０８では、単位時間当たり最大数のフロー制御コマンドをアクセス端末２０２から送信させることができる。
【００４６】
本明細書では、さまざまなフロー制御方式を説明している。これらの方式はどれも使用できること、これらの方式のうちの２つまたはそれ以上の方式の組み合わせを利用できることなどは理解されるであろう。システム２００において使用できるフロー制御方式の実例では、ハイブリッド自動再送要求（ＨＡＲＱ）の否定応答（ＮＡＣＫ）を使用することを利用することができる。この方式では、アクセス端末２０２のリソースが不足した場合（たとえば、リソースモニタ２０６による判定に従って、．．．）、フロー制御フィードバックジェネレータ２０８は、アップリンク上でＨＡＲＱ  ＮＡＣＫを生成して送信することで、正しく受信されたダウンリンクＨＡＲＱパケットにＮＡＣＫで応答できる。パケットが正しく受信されたかどうかに関係なく第１のＨＡＲＱ伝送に対してＮＡＣＫを返すことによって、ダウンリンクスループットは、半分に減らせる。さらに、パケットが正しく受信されたかどうかに関係なくそれぞれのパケットについて第１のＨＡＲＱ伝送および第２のＨＡＲＱ伝送に対してＮＡＣＫを返すことによって、ダウンリンクスループットを、１／３に減らせる。それぞれの受信されたパケットに対する応答として、フロー制御フィードバックジェネレータ２０８が、ＮＡＣＫをいくつでも送信できることも考えられる。さらに、請求されている発明対象が、上述の実施例に制限されないことも理解されるであろう。
【００４７】
図３を参照すると、無線通信環境内でフロー制御フィードバックを供給するためにＰＤＵを利用するシステム３００が例示されている。システム３００は、リソースモニタ２０６およびフロー制御フィードバックジェネレータ２０８をさらに備えることができる、アクセス端末２０２を備える。システム３００は、フィードバック分析器２１０およびダウンリンクスケジューラ２１２をさらに備えることができる、基地局２０４も備えることができる。フロー制御フィードバックジェネレータ２０８は、基地局２０４への送信に対するリソース利用率に応じて制御ＰＤＵを生成する制御ＰＤＵフォーマッタ３０２をさらに備えることができる。たとえば、制御ＰＤＵフォーマッタ３０２は、一組の可能な制御ＰＤＵタイプの中から１つのタイプの制御ＰＤＵを選択する、制御ＰＤＵ内に値を設定する、これらの組み合わせなどを行える。さらに、基地局２０４のフィードバック分析器２１０は、受信された制御ＰＤＵのタイプ、受信された制御ＰＤＵ内の値、これらの組み合わせなどを認識できる制御ＰＤＵ評価器３０４をさらに備えることができる。さらに、制御ＰＤＵ評価器３０４は、認識されたタイプ、値、これらの組み合わせ、および同様のものに応じて（たとえば、ダウンリンクスケジューラ２１２により、．．．）引き起こすべきダウンリンクデータレート変更を決定することができる。システム３００は、アクセス端末２０２からフィードバックを基地局２０４に供給するために、メディアアクセス制御（ＭＡＣ）制御ＰＤＵ、パケットデータコンバージェンスプロトコル（ＰＤＣＰ）制御ＰＤＵ、これらの組み合わせなどを使用することができるが、特許請求されている発明対象は、それに限らないことが意図されている。
【００４８】
システム３００では、ＭＡＣベースのフロー制御を使用することができる。たとえば、ＭＡＣ制御ＰＤＵタイプは、アクセス端末２０２のリソースの利用可能性および／または利用率に関するフィードバックを供給するために使用できる。例によれば、フロー制御フィードバックを生成するように、２つのタイプのＭＡＣ制御ＰＤＵ（たとえば、タイプ１のＭＡＣ制御ＰＤＵおよびタイプ２のＭＡＣ制御ＰＤＵ、．．．）を定義することができる。したがって、リソースモニタ２０６が、アクセス端末２０２のリソース不足（たとえば、リソース利用度が高い、．．．）を認識した場合、制御ＰＤＵフォーマッタ３０２は、そのリソースが不足していることを指示する基地局２０４に送信することができる第１のタイプのＭＡＣ制御ＰＤＵ（たとえば、タイプ１のＭＡＣ制御ＰＤＵ、．．．）を選択することができる。さらに、リソースモニタ２０６が、アクセス端末２０２のリソース利用率が通常に戻ったことを識別した場合、制御ＰＤＵフォーマッタ３０２は、そのリソース利用率が通常に戻ったことを指示する基地局２０４に送信することができる第２のタイプのＭＡＣ制御ＰＤＵ（たとえば、タイプ２のＭＡＣ制御ＰＤＵ、．．．）を選択することができる。
【００４９】
ＭＡＣ制御ＰＤＵタイプが制御ＰＤＵ評価器３０４によって検出されたことに対する応答として、基地局２０４による反応が引き起こされうる。上記の実施例に従って、アクセス端末２０２がタイプ１のＭＡＣ制御ＰＤＵを送信したことを制御ＰＤＵ評価器３０４が認識した場合、ダウンリンクスケジューラ２１２は、アクセス端末２０２に対するダウンリンクデータフローを減らすことによって反応することができる。さらに、アクセス端末２０２がタイプ２のＭＡＣ制御ＰＤＵを送信したと制御ＰＤＵ評価器３０４が判定した場合に、ダウンリンクスケジューラ２１２は、アクセス端末２０２に対するダウンリンクデータフローを増やすことによって反応することができる。
【００５０】
以下に、追加の例示的なＭＡＣベースのフロー制御方式を示す。これらの方式では、基地局２０４は、どの（１つまたは複数の）ダウンリンクフローを変調するかを制御することができる。たとえば、（１つまたは複数の）ダウンリンクフローの（１つまたは複数の）レートの変更は、フローのサービスの質（ＱｏＳ）属性に基づくことができる（たとえば、優先順位付けされたビットレート（ＰＢＲ）が構成されているフローは典型的にはフロー制御されるべきでない、．．．）。さらに、本明細書の実施例では、アクセス端末２０２のＭＡＣベースのフロー制御を使用してダウンリンクレートを制御することについて説明しているが、このようなフロー制御を送信機および受信機が両方ともアクセス端末とすることができるピアツーピアリンクに適用することができるとも考えられるが、請求されている発明対象は、それに限られない。さらに、フロー制御は、スケジュールされていないチャネルを使用してアップリンクにも適用可能であるものとすることができる。
【００５１】
例によれば、オン／オフＭＡＣベースのフロー制御方式は、システム３００によって使用されうる。この方式では、タイプ１のＭＡＣ制御ＰＤＵは、２進数値（たとえば、「０」または「１」のいずれか）を含むことができ、これは、制御ＰＤＵフォーマッタ３０２によって設定し、制御ＰＤＵ評価器３０４によって解読することができる（たとえば、１つのタイプのＭＡＣ制御ＰＤＵを、オン／オフＭＡＣベースのフロー制御方式で使用するように定義できる、．．．）。アクセス端末２０２のリソースが不足した場合（たとえば、リソース利用率が閾値より高い、．．．）、制御ＰＤＵフォーマッタ３０２は、タイプ１のＭＡＣ制御ＰＤＵの２進数値を「０」に設定することができ、その後、２進数値が「０」に設定されたこのタイプ１のＭＡＣ制御ＰＤＵを基地局２０４に送信することができる。基地局２０４が、このＭＡＣ制御ＰＤＵを受信すると、制御ＰＤＵ評価器３０４は、２進数値が「０」に設定されていることを認識することができる。さらに、制御ＰＤＵ評価器３０４は、ダウンリンクデータをアクセス端末２０２に送信するのを停止するようにダウンリンクスケジューラ２１２を制御することができる（優先順位付けされたビットレート（ＰＢＲ）で構成されたフローを除く）。同様に、アクセス端末２０２のリソース利用が通常に戻った場合（たとえば、リソース利用率が閾値より低い、．．．）、制御ＰＤＵフォーマッタ３０２は、２進数値が「１」に設定されているタイプ１のＭＡＣ制御ＰＤＵを生成することができ、これを基地局２０４に送信することができる。基地局２０４が、このＭＡＣ制御ＰＤＵを受信すると、制御ＰＤＵ評価器３０４は、２進数値が「１」に設定されていることを認識することができる。さらに、制御ＰＤＵ評価器３０４は、ダウンリンクスケジューラ２１２に、アクセス端末２０２へのダウンリンクデータ伝送を再開させることができる。
【００５２】
他の例では、アップ／ダウンＭＡＣベースのフロー制御方式を、システム３００によって利用することができる。２つのタイプのＭＡＣ制御ＰＤＵ（たとえば、タイプ１とタイプ２、．．．）を、このアップ／ダウン方式とともに使用するように定義することができる。この方式では、タイプ１のＭＡＣ制御ＰＤＵは、０からＮまでの範囲の整数ｋをとることができるが、ただし、Ｎは、ｋ以上の整数とすることができる。制御ＰＤＵフォーマッタ３０２は、ＭＡＣ制御ＰＤＵを使用して、ダウンリンクデータレートをモジュール化することができる。リソースモニタ２０６での計算により、所定のタイムウィンドウ内にアクセス端末２０２で達成される平均ダウンリンクデータレートがｑであると仮定すると、ｑ＊（ｋ／Ｎ）が、アクセス端末２０２によって優先されるダウンリンクデータレートとなりうる。基地局２０４では、アクセス端末２０２に対する平均ダウンリンクデータレートをｑ’であると推定することもできる。基地局２０４によって実行される推定は、以前の所定のウィンドウ（たとえば、アクセス端末２０２によって使用されるウィンドウと異なっていても、異なっていなくてもよい、．．．）内でアクセス端末２０２に供給されるデータの量（たとえば、ダウンリンクスケジューラ２１２によって決定されるような量、．．．）に基づくことができる。アクセス端末２０２と基地局２０４によって生成される推定値は、一致していてもよいが、一致している必要があるわけではない（たとえば、フロー制御の目的に十分であればよい、．．．）。前記に関連する利点は、そのような特徴をサポートするために標準化の必要性が限定されていることである。さらに例によれば、基地局２０４がタイプ１のＭＡＣ制御ＰＤＵをアクセス端末２０２から受信すると、制御ＰＤＵ評価器３０４は、アクセス端末２０２に対するダウンリンクスケジューラ２１２によって生成されたダウンリンクデータレートをｑ’＊（ｋ／Ｎ）となるように調節することができる。アップ／ダウンＭＡＣベースのフロー制御方式に関して本明細書で説明されている上記のデータレートは、ＰＢＲが構成されていないすべてのフローに対する総合ダウンリンクデータレートを指すものとすることができる。さらに、リソースモニタ２０６が、アクセス端末２０２がより高いデータレートを受信するのを許容することができると判定した場合、制御ＰＤＵフォーマッタ３０２は、所望のスループットがｑ＊（１＋ｋ／Ｎ）であることを示すように値ｋを含むタイプ２のＭＡＣ制御ＰＤＵを生成することができる。タイプ２のＭＡＣ制御ＰＤＵをアクセス端末２０２から基地局２０４に送信することができ、また制御ＰＤＵ評価器３０４は、そこ組み込まれているｋの値を分析し、アクセス端末２０４に対する平均ダウンリンクデータレートをｑ’（１＋ｋ／Ｎ）となるように調節することができる。アップ／ダウンＭＡＣベースのフロー制御方式を使用することで、アクセス端末２０２と基地局２０４との間の通信を、アクセス端末２０２で生じる輻輳のレベルに関して高い粒度で実行することができ、延いてはアクセス端末２０２に対する輻輳から非輻輳への遷移を滑らかにすることができる。
【００５３】
他の実施例によれば、スケーリングされたアクセス端末機能のＭＡＣベースのフロー制御方式は、システム３００によって実装されうる。スケーリングされたアクセス端末機能のＭＡＣベースのフロー制御方式を使用することで、アクセス端末２０２の最大能力に基づいてダウンリンクデータレートをスケーリングすることが可能になる。この方式では、タイプ１のＭＡＣ制御ＰＤＵは、０からＮまでの間の整数をとることができる。アクセス端末２０２のリソースが不足した場合（たとえば、リソースモニタ２０６によって認識されるように、．．．）、制御ＰＤＵフォーマッタ３０２は、値がｋに設定されている伝送に対するタイプ１のＭＡＣ制御ＰＤＵを生成することができるが、ただし、ｑ＊（ｋ／Ｎ）は、アクセス端末２０２の機能によってサポートされる更新された最大データレートであり、ｑは、前のアクセス端末機能の信号伝送で示されるような（たとえば、アクセス端末２０２によって送信されるすでに伝送されているＭＡＣ制御ＰＤＵで与えられるような、．．．）アクセス端末２０２の機能によってサポートされる前の最大データレートである。基地局２０４がタイプ１のＭＡＣ制御ＰＤＵを受信した場合、制御ＰＤＵ評価器３０４は、アクセス端末２０２に対するダウンリンクスケジューラ２１２によって使用されるダウンリンクデータレートを、アクセス端末２０２の機能によってサポートされている最大データレートがｑ＊（ｋ／Ｎ）に等しいかのように調節することができる。この場合、アクセス端末２０２および基地局２０４は、アクセス端末２０２によってすでに報知されていたため、ｑの値を共有することに留意されたい。さらに、アクセス端末２０２がより高いデータレートの受信を許容できる場合（たとえば、リソースモニタ２０６によって識別されているように、．．．）、制御ＰＤＵフォーマッタ３０２は、タイプ２のＭＡＣ制御ＰＤＵを生成することができ、これを基地局２０４に送信することができる。このタイプ２のＭＡＣ制御ＰＤＵは、所望のスループットがｑ（１＋ｋ／Ｎ）であることを基地局２０４に示すために値ｋを含むことができる。これ以降、制御ＰＤＵ評価器３０４は、アクセス端末２０２に対するダウンリンクスケジューラ２１２によって使用される平均ダウンリンクデータレートをｑ（１＋ｋ／Ｎ）に調節することができる。したがって、ダウンリンクスケジューラ２１２は、ダウンリンクスケジューラ２１２においてアクセス端末機能が可変となるようにすることによって使用可能にされうるアクセス端末２０２の機能を考慮することができる。
【００５４】
さらに、ダウンリンクレートをフロー制御するためにアクセス端末２０２側でＰＤＣＰ制御ＰＤＵを使用することができる場合に、ＰＤＣＰベースのフロー制御をシステム３００において使用することができる。これらの方式により、アクセス端末２０２は、高い精度でそれぞれのフローを独立にフロー制御することが可能になる。本明細書で説明されているようにＭＡＣ制御ＰＤＵを使用してダウンリンクフロー全体に対しダウンリンクデータレートを調節することとは対照的に、ＰＤＣＰ制御ＰＤＵは、個々のフローに関連するダウンリンクレートを変更するために使用することができる。たとえば、２つのアプリケーションがアクセス端末２０２で実行されている場合（たとえば、ファイル転送プロトコル（ＦＴＰ）を使用するファイル転送とウェブ閲覧、．．．）それぞれのアプリケーションは、個々のフローに関連付けられうる。さらに、制御ＰＤＵフォーマッタ３０２は、第１のフロー（たとえば、ファイル転送に対応する、．．．）に関連付けられているダウンリンクデータレートを制御するための第１のＰＤＣＰ制御ＰＤＵ、および／または第２のフロー（たとえば、ウェブ閲覧に対応する、．．．）に関連付けられているダウンリンクデータレートを制御するための第２のＰＤＣＰ制御ＰＤＵを生成することができる。したがって、上記の例によれば、ウェブ閲覧に使用されるダウンリンクデータレートに影響を与えることなくファイル転送を選択的に遅延させることができる。
【００５５】
一実施例によれば、アクセス端末２０２に対し基地局２０４によって使用されうる最高のＰＤＣＰシーケンス番号（ＳＮ）（たとえば、最高のＰＤＣＰ  ＳＮは値ｙに設定することができる、．．．）を示すＰＤＣＰ制御ＰＤＵを制御ＰＤＵフォーマッタ３０２が生成することができる場合に、ＰＤＣＰベースのフロー制御を使用することができる。制御ＰＤＵフォーマッタ３０２によって生成されるＰＤＣＰ制御ＰＤＵを基地局２０４に送信することができ、制御ＰＤＵ評価器３０４は、受信されたＰＤＣＰ制御ＰＤＵに組み込まれている最高のＰＤＣＰ  ＳＮについて設定されている値を認識することができる。それに加えて、またはその代わりに、ＰＤＣＰ制御ＰＤＵは、基地局２０４によって使用されるか、またはカウント−Ｃ（Ｃｏｕｎｔ−Ｃ）の一部として使用されうる最高のカウント−Ｃ（たとえば、ハイパーフレーム番号（ＨＦＮ）プラスＰＤＣＰ  ＳＮ、．．．）を示すことができる（たとえば、下位１６ビット、．．．）。さらに、制御ＰＤＵ評価器３０４は、他のＰＤＣＰ制御ＰＤＵがアクセス端末２０２から受信され、高いシーケンス番号を持つＰＤＵの送信が可能になるまで、基地局２０４がｙより大きいＳＮを持つＰＤＣＰ  ＰＤＵを送信するのを制限することができる。
【００５６】
他の例では、それぞれの伝送時間間隔（ＴＴＩ）内に基地局２０４によって送信できるＰＤＣＰ  ＰＤＵの最大数が、制御ＰＤＵフォーマッタ３０２によってＰＤＣＰ制御ＰＤＵ内に指示されうる。したがって、制御ＰＤＵ評価器３０４は、このＰＤＣＰ制御ＰＤＵを調べて、基地局２０４によってアクセス端末２０２に送信することが許されるＰＤＵの最大数を制限することができる。
【００５７】
システム３００によって使用されうる他の例示的なＰＤＣＰベースのフロー制御方式では、アクセス端末２０２から基地局２０４に転送されるＰＤＣＰ制御ＰＤＵの使用を活かして、関連するＰＤＣＰベアラのオンおよび／またはオフを切り換える。他の例示的なＰＤＣＰベースのフロー制御方式では、ＰＤＣＰ制御ＰＤＵを利用して、ＰＤＣＰが送信できる平均レートＰＤＣＰを指示することができ、これは本明細書で説明されているアップ／ダウンＭＡＣベースのフロー制御方式に類似のものとすることができる。
【００５８】
図４を参照すると、無線通信環境内でチャネル品質インジケータ（ＣＱＩ）ベースのダウンリンクフロー制御を使用するシステム４００が例示されている。システム４００は、リソースモニタ２０６およびフロー制御フィードバックジェネレータ２０８をさらに備える、アクセス端末２０２を備える。フロー制御フィードバックジェネレータ２０８は、基地局２０４にフロー制御フィードバックを供給するために利用されるＣＱＩレポートを生成するリソースベースのＣＱＩレポートジェネレータ４０２を備えることができ、これは、フィードバック分析器２１０およびダウンリンクスケジューラ２１２をさらに備えることができる。フィードバック分析器２１０は、受信されたＣＱＩレポートを分析し、受信されたＣＱＩレポートの分析結果から認識されたフィードバックに基づいてダウンリンクフロー制御を実行することができるリソースベースのＣＱＩレポート評価器４０４を備えることができる。
【００５９】
一例によれば、リソースモニタ２０６は、アクセス端末２０２に関連する過負荷状態を検出することができる。これに基づき、リソースベースのＣＱＩレポートジェネレータ４０２は、フロー制御に予約されているチャネル品質インジケータにおいて所定のコードワード（これ以降フロー制御コードワードと称する）を生成することができる。フロー制御コードワードは、基地局２０４に送信することができる。たとえば、フロー制御コードワードは、ダウンリンクトラフィックを停止するか、またはアクセス端末２０２へのトラフィックのデータレートを下げるように基地局２０４に指示することができる。たとえば、トラフィックは、非リアルタイムのトラフィックまたは他のタイプのトラフィックとしてもよい。したがって、アクセス端末２０２は、過負荷状態を検出すること（たとえば、アクセス端末２０２のリソースが不足しているためダウンリンク上で受信された現在のトラフィックを処理できないと判定すること）ができ、フロー制御フィードバックを基地局２０４に送信することができ、基地局２０４は、スループットを低下させること（たとえば、アクセス端末２０２のリソースが少ない場合、．．．）およびスループットを高くすること（たとえば、アクセス端末２０４のリソースが通常に戻ったとき、．．．）でフロー制御フィードバックに反応することができる。
【００６０】
ＣＱＩは、アクセス端末２０２から見えるダウンリンクチャネル品質を基地局２０４に報告するために、アクセス端末２０２によって使用されうる。ＣＱＩを報告するために物理層内に専用リソースが用意される。たとえば、ＣＱＩを基地局２０４に報告するために物理アップリンク制御チャネル（ＰＵＣＣＨ）の５〜１０ビットをアクセス端末２０２で使用することができる。例示的なＣＱＩベースのフロー制御方式によれば、ＣＱＩコード空間内の１つまたは複数のコードワードをフロー制御の目的に予約することができる。したがって、予約されているフロー制御コードワードは、所定のビット数分の長さを持つことができ（たとえば、５ビット長、．．．）、リソースベースのＣＱＩレポートジェネレータ４０２によって生成され、基地局２０４に送信できる。一例によれば、ＣＱＩコード空間内の２つのフロー制御コードワードは、フロー制御の目的のために予約することができる（たとえば、予約されている値は、「フロー制御なし」および「フロー制御」を示すことができる、．．．）。この例に従って、アクセス端末２０２のリソースが不足した場合、リソースベースのＣＱＩレポートジェネレータ４０２は、「フロー制御」値（たとえば、第１のフロー制御コードワード、．．．）を含むＣＱＩレポートを生成することができ、これを基地局２０４に送信することができる。さらに、リソース利用が通常レベルに戻った場合（たとえば、閾値より低い、．．．）、リソースベースのＣＱＩレポートジェネレータ４０２は、「フロー制御なし」値（たとえば、第２のフロー制御コードワード、．．．）を含むＣＱＩレポートを生成することができる。
【００６１】
他の例では、「オン」コードワードなしで「オフ」コードワードを使用することにより、予約されているフロー制御コードワードの数を減らすことができる。「オフ」コマンドは、一定期間経過した後に失効することができる。予約されているフロー制御コードワード（たとえば、「オフ」コードワード、．．．）を受信した後、リソースベースのＣＱＩレポート評価器４０４は、タイマを起動し、所定の時間の間待機し、次いで、ダウンリンクスケジューラ２１２によってスケジュールされているとおりに非リアルタイムダウンリンクトラフィックの送信を行うことができる。たとえば、ＣＱＩは、５０Ｈｚ以上の周波数に割り当てることができるので、「オフ」を示す単一のフロー制御コードワードを１００ｍｓタイマと結合することで、２つまたはそれ以上の予約されているＣＱＩフロー制御コードワードの使用と比べてオーバーヘッドを低減した制御を行うことができるが、請求されている発明対象は、それに限定されていないことは理解されるであろう。
【００６２】
１つのフロー制御コードワードが使用される他の実施例によれば、フロー制御コードワードは、最悪のチャネル状態を示すＣＱＩ値となるように割り当てることができる（たとえば、フロー制御コードワードを「０００００」に割り当てることができる、．．．）。このような割り当ての利点は、チャネル状態が非常に悪い場合に、アクセス端末２０２がフロー制御を必要とする可能性はないという点である。しかし、任意のＣＱＩ値を（１つまたは複数の）フロー制御コードワードに使用する（たとえば、予約する、．．．）ことができることは理解されるであろう。
【００６３】
予約されているフロー制御コードワードが、基地局２０４によって受信された場合、リソースベースのＣＱＩレポート評価器４０４は、ダウンリンクスケジューラ２１２によって使用される伝送レートを調節することができる。一実施例によれば、アクセス端末２０２は、アクセス端末２０２がそのような時間にチャネルを使用する必要がないのでダウンリンク伝送を停止する要求が送信されたときにＣＱＩレポートを送信することを緩和できる。
【００６４】
他の例によれば、リソースベースのＣＱＩレポートジェネレータ４０２は、ベストエフォート型トラフィックまたは非リアルタイムトラフィックなどの非保証ビットレート（ＧＢＲ）トラフィックを低減または停止するように示すことができる。リアルタイムトラフィック（たとえば、音声トラフィック、．．．）は、それでも、基地局２０４によって送信することができる。さらに、フロー制御フィードバックを示すように予約されている任意個数のフロー制御コードワードを使用することができるが、フロー制御フィードバックに予約されているフロー制御コードワードの数が増えると、これらのフロー制御コードワードが基地局２０４（たとえば、リソースベースのＣＱＩレポート評価器４０４、．．．）によって不正確に復号化されうる確率も増大しうることに留意されたい。
【００６５】
他の例によれば、所定のＣＱＩ報告間隔をフロー制御の報告に使用することができる。たとえば、ＣＱＩ報告間隔の部分集合をフロー制御の報告に定期的に予約することができる。フロー制御報告間隔において、予約されているフロー制御コードワード（たとえば、所定のＣＱＩ値を持つ、．．．）は、たとえば、リソースベースのＣＱＩレポートジェネレータ４０２によって生成され、基地局２０４に送信され、リソースベースのＣＱＩレポート評価器４０４によって分析されうる。他の例では、リソース独立のＣＱＩ値が、リソースベースのＣＱＩレポートジェネレータ４０２によって生成され、基地局２０４に送信され、リソースベースのＣＱＩレポート評価器４０４によって調べられるが、これにより、ダウンリンク伝送を制御することができる。さらに、測定されたＣＱＩ値（たとえば、チャネル状態に依存する、．．．）は、フロー制御報告に使用される間隔と別のＣＱＩ報告間隔においてアクセス端末２０２から基地局２０４に送信できる。
【００６６】
次に、図５を参照すると、アクセス端末からフィードバックを基地局に供給するためにＣＱＩ値を使用する定期的フロー制御報告機能を示す例示的なタイミング図５００が示されている。図示されているように、ＣＱＩ報告機能は、定期的であるものとすることができる。たとえば、アクセス端末は、ＣＱＩレポートを実質的に任意の周期（たとえば、２ｍｓ毎、５ｍｓ毎、１０ｍｓ毎、．．．）で送信することができる。図５００に示されているように、ＸおきのＣＱＩ報告間隔を使用して、フロー制御フィードバックを供給することができるが、ただし、Ｘは、実質的に任意の整数とすることができ（たとえば、Ｘは１０とすることができる、．．．）、フロー制御フィードバックが転送されるＣＱＩ報告間隔は、フロー制御報告間隔５０２と称することができる。たとえば、所定の時間間隔で（たとえば、１００ｍｓ毎に、．．．）、アクセス端末は、フロー制御フィードバックを伝えるＣＱＩレポートを生成して送信することができ、基地局は、そのようなＣＱＩレポートを、フロー制御フィードバックを伝えるものとして解釈することができる。しかし、請求されている発明対象が、この実施例に制限されないことは理解されるであろう。
【００６７】
一実施例によれば、定期的フロー制御報告間隔５０２の１つにおいて送信されるＣＱＩ値は、以下のように解釈することができる。フロー制御報告間隔５０２のうちの１つにおいて転送される所定のＣＱＩ値（たとえば、最低のＣＱＩ値または範囲外値などの可能なＣＱＩ値の集合からの（１つまたは複数の）予約値、．．．）は、「アクセス端末が輻輳しており、基地局は今、ダウンリンクをフロー制御する必要がある」という意味であると解釈することができる。さらに、フロー制御報告間隔５０２のうちの１つにおいて転送される他の任意のＣＱＩ値（たとえば、可能なＣＱＩ値の集合に含まれる非予約値、．．．）は、アクセス端末が輻輳しておらず、報告されたＣＱＩはチャネル状態にのみ依存する測定されたＣＱＩであることを意味するものとしてよい。このフロー制御技術の利点は、フロー制御に特別なＣＱＩ値が予約されないという点であり、したがって、ＣＱＩの分解能は下がらない。さらに、フロー制御報告間隔以外のＣＱＩ報告間隔（たとえば、非フローＣＱＩ報告間隔５０４、．．．）を利用して、チャネル状態に依存する、測定されたＣＱＩ値を送信することができる。
【００６８】
他の例では、測定されたＣＱＩ値と異なる、リソース依存ＣＱＩ値を、フロー制御報告間隔５０２において送信することができ、これにより、アクセス端末の輻輳の程度を示すことができる。リソース依存ＣＱＩ値は、典型的には、測定されたＣＱＩ値より小さい。測定されたＣＱＩ値は、チャネル状態にのみ依存し、アクセス端末の処理の制限を考慮しない。測定されたＣＱＩ値は、非フロー制御報告間隔５０４において報告される。
【００６９】
リソース依存ＣＱＩ値（リソース調節ＣＱＩ値とも称される）により、アクセス端末のリソースの制限（たとえば、処理能力、バッファ空き容量、電池残量、．．．）を考慮するように測定されたＣＱＩ値を下げる。図６は、測定されたＣＱＩ値６０２とリソース依存ＣＱＩ値６０４との例示的な比較６００を示す。一例によれば、アクセス端末のバッファ内の残り容量が、所定の値より小さくなった場合、プロセッサは、最大利用率のＹパーセントだけ大きい利用率で動作するか、または他の計量は、アクセス端末が輻輳していることを示し、アクセス端末は、リソース依存ＣＱＩ値６０４を生成するように測定されたＣＱＩ値６０２を下方に調節することができる。リソース依存ＣＱＩ値６０４では、アクセス端末のリソース制限を考慮する。さらに、リソース依存ＣＱＩ値６０４は、フロー制御報告間隔（たとえば、図５のフロー制御報告間隔５０２、．．．）において報告されうる。アクセス端末が輻輳しておらず、またフロー制御が必要ない場合、アクセス端末は、リソース依存ＣＱＩ値６０４を報告する必要はなく、その代わりに、アクセス端末は、測定されたＣＱＩ値６０２をフロー制御報告間隔で報告することができることに留意されたい。
【００７０】
一実施例によれば、リソース依存ＣＱＩ値６０４および測定されたＣＱＩ値６０２（たとえば、チャネル依存ＣＱＩ、．．．）の最小値が、フロー制御報告間隔（たとえば、図５のフロー制御報告間隔５０２、．．．）毎に報告される。他のすべてのＣＱＩ報告間隔（たとえば、図５の非フロー制御報告間隔５０４、．．．）において、測定されたＣＱＩ値６０２（たとえば、チャネル依存ＣＱＩ、．．．）が基地局に報告される。
【００７１】
他の例では、所定のフロー制御報告間隔（たとえば、図５のフロー制御報告間隔５０２、．．．）に対しアクセス端末によって監視されているように輻輳がない（たとえば、リソース利用率が閾値より低い、．．．）場合、アクセス端末は、測定されたＣＱＩ値６０２を基地局に報告する。しかし、輻輳がある場合（たとえば、リソース利用率が閾値より高い、．．．）、アクセス端末は、フロー制御報告間隔において、測定されたＣＱＩ値６０２より典型的には低い、リソース依存ＣＱＩ値６０４を報告する。他のすべてのＣＱＩ報告間隔（たとえば、図５の非フロー制御報告間隔５０４、．．．）において、測定されたＣＱＩ値６０２（たとえば、チャネル依存ＣＱＩ、．．．）が基地局に報告される。
【００７２】
一実施例において、基地局は、アクセス端末から５ビットのＣＱＩ値を受信し、そのＣＱＩ値を転送ブロックサイズにマッピングすることができ、これはＴＴＩ毎に送信されうるビットの数を示すインジケータとなる。この実施形態の利点は、基地局がダウンリンクトラフィックのバックオフをどれだけ行うかを知るように、アクセス端末が輻輳度を示すことができる点である。対照的に、上述の所定のコードワードを使用する周期的ＣＱＩ方式では、アクセス端末は、アクセス端末に輻輳がどれだけ生じているかに関して基地局に知らせることなく、「自分は輻輳状態である」ということしか伝えられない。
【００７３】
図７〜１０を参照すると、無線通信環境内でフロー制御フィードバックに基づきダウンリンクデータ伝送レートを制御することに関係する方法が示されている。説明を簡単にするために、方法論が一連の活動として示され、且つ記述されているが、方法論は、活動の順序によって制限されるわけではなく、いくつかの活動は、１つまたは複数の実施形態により、図に示され、本明細書で説明しているのと異なる順序で、および／または他の活動と同時に実行されうることを理解し、了解されたい。たとえば、当業者であれば、その代わりに方法を一連の相互に関連のある状態またはイベントとして状態図などの中に表されることが可能であることを理解し、了解するであろう。さらに、１つまたは複数の実施形態による方法を実施するために、例示されているすべての活動が必要なわけではない。
【００７４】
図７を参照すると、無線通信環境内でダウンリンクフロー制御を行いやすくする方法７００が例示されている。７０２では、アクセス端末に関連するリソース使用量を監視することができる。たとえば、リソースは、処理速度、プロセッササイクル、電池電力、バッファサイズ、バス速度などに関係するものとすることができる。リソース使用量を閾値と比較することができる（たとえば、リソースの使用量が閾値より高いか、または低いかを判定する、アクセス端末のリソースが、ダウンリンクを介してアクセス端末によって受信される現在のトラフィックレベルを処理するのに十分であるか、または不十分であるかを判定する、．．．）。それに加えて、またはその代わりに、リソース使用量を監視して、現在使用されている全能力の割合を認識することができる（たとえば、この割合は、アクセス端末に関連する１つまたは複数のリソースに対応しうる、．．．）。
【００７５】
７０４では、アクセス端末に関連するリソース使用量に基づいて制御プロトコルデータユニット（ＰＤＵ）を生成することができる。制御ＰＤＵは、１つまたは複数のダウンリンクフロー制御方式に従って生成することができる。たとえば、制御ＰＤＵは、メディアアクセス制御（ＭＡＣ）制御ＰＤＵ、パケットデータコンバージェンスプロトコル（ＰＤＣＰ）制御ＰＤＵ、これらの組み合わせなどとすることができる。
【００７６】
例示的なＭＡＣベースのフロー制御方式によれば、タイプ１のＭＡＣ制御ＰＤＵは、アクセス端末のリソース使用量が、第１の閾値より高いと判定された場合に生成することができ、タイプ２のＭＡＣ制御ＰＤＵは、アクセス端末のリソース使用量が、第２の閾値より低いと判定された場合に生成することができる（たとえば、第１の閾値および第２の閾値は、同じであっても、異なっていてもよい、．．．）。この実施例によれば、タイプ１のＭＡＣ制御ＰＤＵは、基地局に対して、アクセス端末に対応するリソース利用可能性が所定のレベルより低いことを示すことができ、タイプ２のＭＡＣ制御ＰＤＵは、アクセス端末に対応するリソース利用可能性が所定のレベルより高いという通知を基地局に送ることができる。
【００７７】
他の実施例によれば、オン／オフＭＡＣベースのフロー制御方式も使用されうる。したがって、０に設定された２進数値を含むタイプ１のＭＡＣ制御ＰＤＵは、アクセス端末のリソース使用量が、第１の閾値より高いと判定された場合に生成することができ、１に設定された２進数値を含むタイプ１のＭＡＣ制御ＰＤＵは、アクセス端末のリソース使用量が、第２の閾値より低いと判定された場合に生成することができる（たとえば、第１の閾値および第２の閾値は、同じであっても、異なっていてもよい、．．．）。したがって、この２進数値を０に設定することで、アクセス端末に関係するリソース利用可能性が所定のレベルより低いという、基地局への通知を生成することができる。さらに、この２進数値を１に設定することで、アクセス端末に関係するリソース利用可能性が所定のレベルより高いことを基地局に指示することができる。
【００７８】
他の例では、アップ／ダウンＭＡＣベースのフロー制御方式を、使用することができる。所定のタイムウィンドウ内でアクセス端末において生じる平均検出ダウンリンクデータ伝送レートを判定することができる（たとえば、アクセス端末により、．．．）。さらに、アクセス端末に対する好ましいダウンリンクデータ伝送レートは、監視されているリソース使用量に応じて識別することができる（たとえば、アクセス端末により、．．．）。好ましいダウンリンクデータ伝送レートが、平均検出ダウンリンクデータ伝送レートより小さい場合、平均検出ダウンリンクデータ伝送レートから好ましいダウンリンクデータ伝送レートへの減少割合に対応する第１の選択された値を含むタイプ１のＭＡＣ制御ＰＤＵを生成することができる。さらに、好ましいダウンリンクデータ伝送レートが、平均検出ダウンリンクデータ伝送レートより大きい場合、平均検出ダウンリンクデータ伝送レートから好ましいダウンリンクデータ伝送レートへの増加割合に対応する第２の選択された値を含むタイプ２のＭＡＣ制御ＰＤＵを生成することができる。
【００７９】
他の実施例によれば、スケーリングされたアクセス端末機能のＭＡＣベースのフロー制御方式を利用することができる。この実施例に従って、アクセス端末に対するその後の伝送のために基地局によって使用される更新されたダウンリンクデータ伝送レートは、監視されているリソース使用量に基づいて決定されうる。さらに、更新されたダウンリンクデータ伝送レートを基地局によって使用される以前信号を送ったダウンリンクデータ伝送レートと比較することができる。更新されたダウンリンクデータ伝送レートが、以前信号を送ったダウンリンクデータ伝送レートより小さい場合、以前信号を送ったダウンリンクデータ伝送レートから更新されたダウンリンクデータ伝送レートへの減少割合に対応する第１の選択された値を含むタイプ１のＭＡＣ制御ＰＤＵを生成することができる。さらに、更新されたダウンリンクデータ伝送レートが、以前信号を送ったダウンリンクデータ伝送レートより大きい場合、以前信号を送ったダウンリンクデータ伝送レートから更新されたダウンリンクデータ伝送レートへの増加割合に対応する第２の選択された値を含むタイプ２のＭＡＣ制御ＰＤＵを生成することができる。
【００８０】
他の例では、ＰＤＣＰベースのフロー制御方式を、使用することができる。たとえば、最高のＰＤＣＰシーケンス番号（ＳＮ）、ハイパーフレーム番号（ＨＦＮ）プラスＰＤＣＰ  ＳＮを含む最高のカウント−Ｃ、または基地局によって送信されることが許されるカウント−Ｃの一部（たとえば、下位１６ビット、．．．）を示すＰＤＣＰ制御ＰＤＵのうちの少なくとも１つを生成することができる。他の例によれば、伝送時間間隔（ＴＴＩ）内に基地局によって送信されることが許されるＰＤＣＰ  ＰＤＵの最大数を示すＰＤＣＰ制御ＰＤＵを生成することができる。他の例によれば、関連するＰＤＣＰベアラのオン状態とオフ状態とを切り換えるＰＤＣＰ制御ＰＤＵを生成することができる。他の実施例によれば、ＰＤＣＰが基地局によって送信されうる平均レートを示すＰＤＣＰ制御ＰＤＵを生成することができる。
【００８１】
７０６では、ダウンリンクデータ伝送レートを管理するために制御ＰＤＵを基地局に送信することができる。たとえば、制御ＰＤＵは、スケジュールされていないアップリンクチャネルで送信することができる。さらに、ダウンリンクデータ伝送レートは、送信された制御ＰＤＵに対する応答として基地局によって変更されうる。
【００８２】
図８を参照すると、無線通信環境内でダウンリンクフロー制御を行いやすくする方法８００が例示されている。８０２では、アクセス端末に関連するリソース利用度を検出することができる。たとえば、リソースは、処理速度、プロセッササイクル、電池電力、バッファサイズ、バス速度などに関係するものとすることができる。リソース利用度を閾値と比較することができる（たとえば、リソース利用度が閾値より高いか、または低いかを判定する、アクセス端末のリソースが、ダウンリンクを介してアクセス端末によって受信される現在のトラフィックレベルを処理するのに十分であるか、または不十分であるかを判定する、．．．）。それに加えて、またはその代わりに、リソース利用度を監視して、現在使用されている全能力の割合を認識することができる（たとえば、このパーセンテージは、アクセス端末に関連する１つまたは複数のリソースに対応しうる、．．．）。
【００８３】
８０４では、アクセス端末に関連するリソース利用度に応じて選択された値を含むチャネル品質インジケータ（ＣＱＩ）レポートを生成することができる。例示的なＣＱＩベースのフロー制御方式によれば、ＣＱＩレポートに含まれるように選択された値は、フロー制御のレベルを示すためにＣＱＩコード空間内に予約されているフロー制御コードワードとすることができる。たとえば、２つのフロー制御コードワードを予約することができ、これら２つのフロー制御コードワードのうちの第１のコードワードは、アクセス端末に対し基地局によって使用されるダウンリンクデータ伝送レートを下げる（たとえば、低くする、停止する、．．．）ためにＣＱＩレポートに含めることができるが、その一方で、これら２つのフロー制御コードワードのうちの第２のコードワードは、アクセス端末に対し基地局によって使用されるダウンリンクデータ伝送レートを上げる（たとえば、高くする、開始する、．．．）ためにＣＱＩレポートに含めることができる。他の例によれば、１つのフロー制御コードワードを予約することができ、このフロー制御コードワードは、所定の期間の間、ダウンリンクデータ伝送レートを下げる（たとえば、低くする、停止する、．．．）ためにＣＱＩレポートに含めることができる。所定の期間が終了した後、ダウンリンクデータ伝送レートは増加しうる（たとえば、高くする、開始する、以前に使用されていたレベルに戻す、．．．）。
【００８４】
他の実施例では、ＣＱＩベースのフロー制御方式は、フロー制御報告間隔において送信のためアクセス端末に関連するリソース利用度に応じて選択された値を含むＣＱＩレポートを生成することを備えることができる。ＣＱＩ報告間隔の定期的に出現する定義済み部分集合をフロー制御報告機能に対し使用することができる（たとえば、Ｘを実質的に任意の整数として各Ｘ番目のＣＱＩ報告間隔をフロー制御報告間隔とすることができる、．．．）。一実施例によれば、フロー制御報告間隔において、ＣＱＩレポートに含まれるように選択された値は、リソース利用度が閾値より高いときに所定の値とすることができ（たとえば、アクセス端末は、輻輳していると認識される、．．．）、またＣＱＩレポートに含まれるように選択された値は、リソース利用度が閾値より低いときにチャネル状態に応じて測定されたＣＱＩ値とすることができる（たとえば、アクセス端末は、輻輳していないと認識される、．．．）。他の実施例によれば、フロー制御報告間隔において、ＣＱＩレポートに含まれるように選択された値は、アクセス端末が輻輳していると認識されたときに、リソース利用度に対応する係数だけ低減されたチャネル状態に依存する測定されたＣＱＩ値である、リソース依存ＣＱＩ値とすることができる。この実施例に従って、アクセス端末がこのフロー制御報告間隔に関連する期間に輻輳していない場合、測定されたＣＱＩ値は、ＣＱＩレポートに含まれるように選択された値とすることができる。さらに、リソース依存ＣＱＩ値は、アクセス端末の輻輳度を示しうる。
【００８５】
８０６では、ダウンリンクデータ伝送レートを制御するために、選択された値を含むＣＱＩレポートを基地局に送信することができる。ダウンリンクデータ伝送レートは、送信されたＣＱＩレポートに対する応答として基地局によって調節されうる。
【００８６】
次に図９を参照すると、無線通信環境内でアクセス端末からのフロー制御フィードバックに基づきアクセス端末に対するダウンリンクデータ伝送レートを制御することを容易にする方法９００が例示されている。９０２では、フロー制御フィードバックを供給する制御プロトコルデータユニット（ＰＤＵ）は、アクセス端末から受信することができる。制御ＰＤＵは、ＭＡＣ制御ＰＤＵ、ＰＤＣＰ制御ＰＤＵ、または同様のものとすることができる。９０４では、フロー制御フィードバックを認識するために、制御ＰＤＵを分析することができる。たとえば、フロー制御フィードバックを決定するために、制御ＰＤＵのタイプ（たとえば、タイプ１またはタイプ２、．．．）、制御ＰＤＵ内に組み込まれている値（たとえば、２進数値、整数値、．．．）、これらの組み合わせなどを識別することができる。９０６では、アクセス端末に対するダウンリンクデータ伝送レートは、制御ＰＤＵによって供給されるフロー制御フィードバックに基づいて調節することができる。一例によれば、制御ＰＤＵの識別されたタイプまたは制御ＰＤＵ内に含まれていると認識された２進数値に基づいて、ダウンリンクデータ伝送（たとえば、優先順位付けされたビットレート（ＰＢＲ）で構成されたフローを除く、．．．）を起動または停止することができる。他の実施例によれば、ダウンリンクデータ伝送レートは、制御ＰＤＵの識別されたタイプに基づいて増減することができ、またダウンリンクデータ伝送レートに対する割合の変化（たとえば、増加もしくは減少、．．．）は、制御ＰＤＵに含まれると判定された整数値から認識することができる。
【００８７】
図１０を参照すると、無線通信環境内でアクセス端末に対するダウンリンクデータ伝送レートを管理するためにフロー制御フィードバックを使用することを容易にする方法１０００が例示されている。１００２では、フロー制御フィードバックに対応する値を含むチャネル品質インジケータ（ＣＱＩ）レポートをアクセス端末から受信することができる。たとえば、所定のフロー制御報告間隔において（たとえば、Ｘを実質的に任意の整数として各Ｘ番目のＣＱＩ報告間隔をフロー制御報告間隔とすることができる、．．．）、または実質的に任意のＣＱＩ報告間隔において、フロー制御フィードバックに対応する値を含むＣＱＩレポートを受信することができる。１００４では、ＣＱＩレポートに含まれる値を評価して、フロー制御フィードバックを決定することができる。たとえば、値は、アクセス端末が輻輳しているかどうかを示すためにＣＱＩコード空間内に予約されているフロー制御コードワードとして認識できる。他の例によれば、値は、リソース依存ＣＱＩ値として識別することができる。さらに、アクセス端末に生じる輻輳度を解読するためにリソース依存ＣＱＩ値を調べることができる。１００６では、アクセス端末に対するダウンリンクデータ伝送レートは、ＣＱＩレポートによって供給されるフロー制御フィードバックに基づいて調節することができる。たとえば、調節されたダウンリンクデータ伝送レートは、タイマがタイムアウトになるまで、その後のフロー制御フィードバックを受信するまで、これらの組み合わせの時期、および同様の時期まで利用することができる。
【００８８】
本明細書で説明されている１つまたは複数の態様によれば、無線通信環境においてフロー制御フィードバックを使用してダウンリンクデータ伝送レートを制御することに関する推論を行うことができることは理解されるであろう。本明細書で使用しているように、「推論する」または「推論」という用語は、一般に、イベントおよび／またはデータを介して得られるような一組の観察結果から、システム、環境、および／またはユーザの状態を推理または推論するプロセスを指す。推論は、特定のコンテキストまたはアクションを識別するために使用されることができ、またはたとえば、複数の状態にわたる確率分布を生成することができる。推論は確率的であってよい、つまり、データおよびイベントの考察に基づいて注目している状態上の確率分布を計算することができる。推論は、さらに、一組のイベントおよび／またはデータから高水準のイベントを構成するために使用される手法を指す場合もある。このような推論を行うことで、イベント同士が時間的に近い関係による相関関係があるかどうか、またイベントおよびデータが１つまたは複数のイベントおよびデータソースを発生元としているかどうかに関係なく、一組の観察されたイベントおよび／または格納されているイベントデータから新しいイベントまたはアクションが構築される。
【００８９】
一実施例によれば、上に提示されている１つまたは複数の方法は、アクセス端末のリソース利用の傾向を決定することに関係する推論を行うことを含むことができる。他の例では、ダウンリンクデータ伝送レートの調節の結果生じうるアクセス端末に関連するリソース利用度の変化を判定することに関係する推論を行うことができる。前記の実施例は、本質的に例を示すだけであって、行える推論の回数、またはそのような推論を本明細書で説明されているさまざまな実施形態および／または方法に関して行う仕方を制限することを意図されていないことを了解されたい。
【００９０】
図１１は、無線通信システム内でフロー制御フィードバックを生成するアクセス端末１１００を示す。アクセス端末１１００は、たとえば、受信アンテナ（図に示されていない）から信号を受信し、受信された信号に対し典型的なアクションを実行し（たとえば、フィルタ処理、増幅、ダウンコンバートなどを行い）、調整信号をデジタル化してサンプルを得る受信機１１０２を備える。受信機１１０２は、たとえば、ＭＭＳＥ受信機とすることができ、受信したシンボルを復調し、それらのシンボルをチャネル推定のためプロセッサ１１０６に送ることができる復調器１１０４を備えることができる。プロセッサ１１０６は、受信機１１０２によって受信された情報を分析し、および／または送信機１１１６よる送信のため情報を生成することをもっぱら行うプロセッサ、アクセス端末１１００の１つまたは複数のコンポーネントを制御するプロセッサ、および／または受信機１１０２によって受信された情報を分析し、送信機１１１６による送信のため情報を生成し、アクセス端末１１００の１つまたは複数のコンポーネントを制御する作業すべてを行うプロセッサとすることができる。
【００９１】
それに加えて、アクセス端末１１００は、プロセッサ１１０６に動作可能なように連結され、送信されるデータ、受信データ、および本明細書で規定しているさまざまなアクションおよび機能を実行することに関係する他の好適な情報を格納できるメモリ１１０８を備えることができる。たとえば、メモリ１１０８は、アクセス端末１１００に関連するリソースの利用率を監視することに関連するプロトコルおよび／またはアルゴリズムを格納することができる。さらに、メモリ１１０８には、ダウンリンクデータ伝送レートを制御するために、アップリンク上でアクセス端末１１００から基地局に送信することができるフロー制御フィードバックを生成するためのプロトコルおよび／またはアルゴリズムを格納することができる。
【００９２】
本明細書で説明されているデータストア（たとえば、メモリ１１０８）は、揮発性メモリまたは不揮発性メモリのいずれかであるか、または揮発性メモリと不揮発性メモリの両方を備えることができることは理解されるであろう。たとえば、限定はしないが、不揮発性メモリとしては、読み取り専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、またはフラッシュメモリが挙げられる。揮発性メモリとしては、外部キャッシュメモリとして動作するランダムアクセスメモリ（ＲＡＭ）が挙げられる。たとえば、限定はしないが、利用可能なＲＡＭとしては、同期ＲＡＭ（ＳＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）などさまざまな形態のものが挙げられる。本発明のシステムおよび方法のメモリ１１０８は、限定はしないが、これらのメモリおよび他の好適な種類のメモリを備えることを意図されている。
【００９３】
受信機１１０２は、リソースモニタ１１１０および／またはフロー制御フィードバックジェネレータ１１１２にさらに動作可能なように連結されている。リソースモニタ１１１０は、図２のリソースモニタ２０６に実質的に類似しているものとすることができる。さらに、フロー制御フィードバックジェネレータ１１１２は、図２のフロー制御フィードバックジェネレータ２０８に実質的に類似しているものとすることができる。図示されていないが、フロー制御フィードバックジェネレータ１１１２は、図３の制御ＰＤＵフォーマッタ３０２と実質的に類似しているものとしてよい、制御ＰＤＵフォーマッタ、および／または図４のリソースベースのＣＱＩレポートジェネレータ４０２に実質的に類似しているものとしてよい、リソースベースのＣＱＩレポートジェネレータをさらに含むことができることは理解されるであろう。リソースモニタ１１１０は、アクセス端末１１００に関連するリソース利用度を検出することができる。たとえば、リソースモニタ１１１０は、アクセス端末１１００が輻輳しているかいないかを判定することができる。さらに、フロー制御フィードバックジェネレータ１１１２は、ダウンリンクデータ伝送レートを制御するために基地局に送信されうるフロー制御フィードバックを生成することができる。たとえば、フロー制御フィードバックジェネレータ１１１２によって生成されるフロー制御フィードバックは、アクセス端末１１００に関連するリソース利用率に応じて選択された値を含むＣＱＩレポートとすることができる。他の例によれば、フロー制御フィードバックジェネレータ１１１２によって生成されるフロー制御フィードバックは、アクセス端末１１００に関連するリソース利用率に基づいて生成される制御ＰＤＵとすることができる。アクセス端末１１００は、変調器１１１４、および基地局（たとえば、サービング基地局、．．．）にフロー制御フィードバックを送信する送信機１１１６をさらに備える。プロセッサ１１０６から分離しているように図示されているが、リソースモニタ１１１０、フロー制御フィードバックジェネレータ１１１２、および／または変調器１１１４は、プロセッサ１１０６または多数のプロセッサ（図示されていない）の一部であってもよいことは理解されるであろう。
【００９４】
図１２は、無線通信環境内でダウンリンクデータ伝送レートを管理するために取得されたフロー制御フィードバックを利用するシステム１２００を示す。システム１２００は、複数の受信アンテナ１２０６を通じて１つまたは複数のアクセス端末１２０４から（１つまたは複数の）信号を受信する受信機１２１０、および送信アンテナ１２０８を通じて１つまたは複数のアクセス端末１２０４に送信する送信機１２２４を有する基地局１２０２（たとえば、アクセスポイント、．．．）を備える。受信機１２１０は、受信アンテナ１２０６から情報を受信することができ、受信された情報を復調する復調器１２１２に動作可能なように関連付けられている。復調されたシンボルは、図１１に関して上で説明されているプロセッサ１２１４に類似していてもよい、また（１つまたは複数の）アクセス端末１２０４に送信されるか、または（１つまたは複数の）アクセス端末１２０４から受信されるべきデータ、および／または本明細書で述べられているさまざまなアクションおよび機能を実行することに関係する他の好適な情報を格納するメモリ１２１６と連結されている、プロセッサ１２１４によって分析される。プロセッサ１２１４は、（１つまたは複数の）アクセス端末１２０４から受信されたフロー制御フィードバックを評価することができるフィードバック分析器１２１８とさらに連結される。さらに、基地局１２０２は、評価されたフロー制御フィードバックに基づいてダウンリンクデータ伝送レートを調節することができるダウンリンクスケジューラ１２２０を備えることができる。フィードバック分析器１２１８は、図２のフィードバック分析器２１０と実質的に類似しているものとしてよいこと、および／またはダウンリンクスケジューラ１２２０は、図２のダウンリンクスケジューラ２１２に実質的に類似しているものとしてよいことが企図されている。さらに、図示されていないが、基地局１２０２は、制御ＰＤＵ評価器（たとえば、図３の制御ＰＤＵ評価器３０４と実質的に類似しているものとしてよい、．．．）および／またはリソースベースのＣＱＩレポート評価器（たとえば、リソースベースのＣＱＩレポート評価器４０４に実質的に類似しているものとしてよい、．．．）をさらに備えることができることは理解されるであろう。他の例では、ダウンリンクスケジューラ１２２０は、変調器１２２２に送信すべき情報を供給することができる。変調器１２２２は、送信機１２２４がアンテナ１２０８を通じて（１つまたは複数の）アクセス端末１２０４に送信するためのフレームを多重化することができる。プロセッサ１２１４から分離しているように図示されているが、フィードバック分析器１２１８、ダウンリンクスケジューラ１２２０、および／または変調器１２２２は、プロセッサ１２１４または多数のプロセッサ（図示されていない）の一部であってもよいことは理解されるであろう。
【００９５】
図１３は、例示的な無線通信システム１３００を示している。無線通信システム１３００は、簡単にするため１つの基地局１３１０および１つのアクセス端末１３５０として示されている。しかし、システム１３００は、複数の基地局および／または複数のアクセス端末を備えることができ、追加の基地局および／またはアクセス端末は、後述の例示的な基地局１３１０およびアクセス端末１３５０に実質的に類似していても異なっていてもよいことは理解されるであろう。それに加えて、基地局１３１０および／またはアクセス端末１３５０は、本明細書で説明されているシステム（図１〜４、１１〜１２、および１４〜１７）、および／または方法（図７〜１０）を使用することでそれらの間の無線通信を容易に行えるようにできることは理解されるであろう。
【００９６】
基地局１３１０では、多数のデータストリームのトラフィックデータが、データソース１３１２から送信（ＴＸ）データプロセッサ１３１４に送られる。一実施例によれば、それぞれのデータストリームは、各アンテナで送信されうる。ＴＸデータプロセッサ１３１４は、そのデータストリームについて選択された特定のコード体系に基づいてトラフィックデータストリームをフォーマットし、符号化し、インターリーブして、符号化データを出力する。
【００９７】
それぞれのデータストリームについて符号化されたデータは、直交周波数分割多重（ＯＦＤＭ）技術を使用してパイロットデータと多重化できる。それに加えて、またはその代わりに、パイロットシンボルは、周波数分割多重化されるか（ＦＤＭ）、時分割多重化されるか（ＴＤＭ）、または符号分割多重化されうる（ＣＤＭ）。パイロットデータは、典型的には、公知の方法で処理され、チャネル応答を推定するためにアクセス端末１３５０において使用できる公知のデータパターンである。それぞれのデータストリームに対する多重化されたパイロットおよび符号化データは、そのデータストリームに対し選択された特定の変調方式（たとえば、二位相偏移変調（ＢＰＳＫ）、四位相偏移変調（ＱＰＳＫ）、Ｍ位相偏移変調（Ｍ−ＰＳＫ）、Ｍ値直交振幅変調（Ｍ−ＱＡＭ）など）に基づいて変調され（たとえば、シンボルマッピングされ）、変調シンボルを出力することができる。それぞれのデータストリームに対するデータ転送速度、符号化、および変調は、プロセッサ１３３０によって実行されるか、または与えられる命令によって決定されうる。
【００９８】
データストリームに対する変調シンボルを、ＴＸ  ＭＩＭＯプロセッサ１３２０に送ることができ、そこでさらに、変調シンボルを処理することができる（たとえば、ＯＦＤＭ用に）。次いで、ＴＸ  ＭＩＭＯプロセッサ１３２０は、ＮＴ個の変調シンボルストリームをＮＴ個の送信機（ＴＭＴＲ）１３２２ａから１３２２ｔに送る。さまざまな実施形態において、ＴＸ  ＭＩＭＯプロセッサ１３２０は、ビーム形成重みをデータストリームのシンボルに適用し、またシンボルの送信元であるアンテナに適用する。
【００９９】
それぞれの送信機１３２２は、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネルで伝送するのに適した変調信号を生成する。さらに、送信機１３２２ａから１３２２ｔのＮＴ個の変調信号は、ＮＴ個のアンテナ１３２４ａから１３２４ｔからそれぞれ送信される。
【０１００】
アクセス端末１３５０では、送信された変調信号は、ＮＲ個のアンテナ１３５２ａから１３５２ｒにより受信され、それぞれのアンテナ１３５２からの受信された信号は、各受信機（ＲＣＶＲ）１３５４ａから１３５４ｒに送られる。それぞれの受信機１３５４は、それぞれの信号を調整（たとえば、フィルタ処理、増幅、およびダウンコンバート）し、調整信号をデジタル化して、サンプルを形成し、さらに、それらのサンプルを処理して対応する「受信」シンボルストリームを形成する。
【０１０１】
ＲＸデータプロセッサ１３６０は、特定の受信機処理技術に基づいてＮＲ個の受信機１３５４からＮＲ個の受信したシンボルストリームを受信して、処理し、ＮＴ個の「検出」シンボルストリームを形成することができる。ＲＸデータプロセッサ１３６０は、それぞれの検出シンボルストリームを復調し、逆インターリーブし、復号して、そのデータストリームに対するトラフィックデータを復元することができる。ＲＸデータプロセッサ１３６０による処理は、基地局１３１０におけるＴＸ  ＭＩＭＯプロセッサ１３２０およびＴＸデータプロセッサ１３１４により実行される処理を補完するものである。
【０１０２】
プロセッサ１３７０は、上述のようにどの利用可能な技術を使用するかを定期的に決定することができる。さらに、プロセッサ１３７０は、行列添え字部分および階数値部分を備える逆方向リンクメッセージを構成することができる。
【０１０３】
逆方向リンクメッセージは、通信リンクおよび／または受信データストリームに関するさまざまな種類の情報を備えうる。逆方向リンクメッセージは、さらにデータソース１３３６から多数のデータストリームに対するトラフィックデータを受信するＴＸデータプロセッサ１３３８によって処理され、変調器１３８０によって変調され、送信機１３５４ａから１３５４ｒによって調整され、基地局１３１０に送り返されうる。
【０１０４】
基地局１３１０では、アクセス端末１３５０からの変調信号は、アンテナ１３２４によって受信され、受信機１３２２によって調整され、復調器１３４０によって復調され、ＲＸデータプロセッサ１３４２によって処理され、こうして、アクセス端末１３５０によって送信された逆方向リンクメッセージを抽出する。さらに、プロセッサ１３３０は、抽出されたメッセージを処理して、ビーム形成重みを決定するためにどのプリコーディング行列を使用するかを決定することができる。
【０１０５】
プロセッサ１３３０および１３７０は、それぞれ、基地局１３１０およびアクセス端末１３５０におけるオペレーションを指令する（たとえば、制御、調整、管理などを行う）ことができる。それぞれのプロセッサ１３３０および１３７０は、プログラムのコードおよびデータを格納するメモリ１３３２および１３７２に関連付けることができる。プロセッサ１３３０および１３７０は、さらに、それぞれアップリンクおよびダウンリンクに対する周波数およびインパルス応答推定を導出する計算を実行することもできる。
【０１０６】
一つの態様では、論理チャネルは、制御チャネルとトラフィックチャネルとに分類される。論理制御チャネルは、システム制御情報をブロードキャストするためのＤＬチャネルである、ブロードキャスト制御チャネル（ＢＣＣＨ）を含みうる。さらに、論理制御チャネルは、ページング情報を転送するＤＬチャネルである、ページング制御チャネル（ＰＣＣＨ）を含みうる。さらに、論理制御チャネルは、１つまたは複数のＭＴＣＨに対するマルチメディアブロードキャストおよびマルチキャストサービス（ＭＢＭＳ）のスケジューリングおよび制御情報を送信するために使用されるポイントツーマルチポイントＤＬチャネルである、マルチキャスト制御チャネル（ＭＣＣＨ）を備えることができる。一般に、無線リソース制御（ＲＲＣ）接続を確立した後、このチャネルは、ＭＢＭＳ（たとえば、旧ＭＣＣＨ＋ＭＳＣＨ）を受信するＵＥによってのみ使用される。それに加えて、論理制御チャネルは、専用制御情報を送信し、ＲＲＣ接続を有するＵＥによって使用されうるポイントツーポイント双方向チャネルである、専用制御チャネル（ＤＣＣＨ）を含みうる。一態様では、論理トラフィックチャネルは、ユーザ情報の転送用に１つのＵＥにのみ割り当てられたポイントツーポイント双方向チャネルである、専用トラフィックチャネル（ＤＴＣＨ）を備えることができる。さらに、論理トラフィックチャネルは、トラフィックデータを送信するためのポイントツーマルチポイントＤＬチャネルに対するマルチキャストトラフィックチャネル（ＭＴＣＨ）を含みうる。
【０１０７】
一つの態様では、トランスポートチャネルは、ＤＬとＵＬとに分類される。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を備える。ＰＣＨは、セル全体にわたってブロードキャストされ、他の制御／トラフィックチャネルに使用されうる物理層（ＰＨＹ）リソースにマッピングされることによってＵＥの節電機能（たとえば、不連続受信（ＤＲＸ）サイクルは、ネットワークによってＵＥに指示されうる、．．．）をサポートすることができる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ），および複数のＰＨＹチャネルを備えることができる。
【０１０８】
ＰＨＹチャネルは、一組のＤＬチャネルおよびＵＬチャネルを含みうる。たとえば、ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、確認応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および／または負荷インジケータチャネル（ＬＩＣＨ）を含むことができる。他の例では、ＵＬ  ＰＨＹチャネルは、物理ランダムアクセスチャネル（ＰＲＡＣＨ）、チャネル品質インジケータチャネル（ＣＱＩＣＨ）、確認応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、および／またはブロードバンドパイロットチャネル（ＢＰＩＣＨ）を含むことができる。
【０１０９】
本明細書で説明されている実施形態は、ハードウェア、ソフトウェア、ファームウェア、ミドルウェア、マイクロコード、またはこれらの任意の組み合わせで実装することができることは理解されるであろう。ハードウェアによる実装では、処理ニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書で説明されている機能を実行するように設計されている他の電子ユニット内に、またはこれらの組み合わせで実装することができる。
【０１１０】
これらの実施形態が、ソフトウェア、ファームウェア、ミドルウェアまたはマイクロコード、プログラムコード、またはコードセグメントで実装される場合、これらは、ストレージコンポーネントなどの機械可読媒体内に格納することができる。コードセグメントは、プロシージャ、関数、サブプログラム、プログラム、ルーチン、サブルーチン、モジュール、ソフトウェアパッケージ、クラス、または命令、データ構造体、もしくはプログラムステートメントの任意の組み合わせを表すことができる。コードセグメントは、情報、データ、引数、パラメータ、またはメモリ内容を受け渡し、および／または受信することにより、他のコードセグメントまたはハードウェア回路と連結されるようにできる。情報、引数、パラメータ、データなどは、メモリ共有、メッセージパッシング、トークンパッシング、ネットワーク伝送などを含む、任意の好適な手段を使用して受け渡されるか、転送されるか、または伝送されるようにできる。
【０１１１】
ソフトウェアによる実装では、本明細書で説明されている技術は、本明細書で説明されている機能を実行するモジュール（たとえば、プロシージャ、関数など）で実装することができる。ソフトウェアコードは、メモリユニット内に格納され、プロセッサにより実行されうる。メモリユニットは、プロセッサ内に、またはプロセッサの外部に実装することができ、その場合、当技術分野で知られているようにさまざまな手段を介してプロセッサに通信可能なように結合することができる。
【０１１２】
図１４を参照すると、無線通信環境内で制御プロトコルデータユニット（ＰＤＵ）を使用してフロー制御フィードバックを基地局に供給することを可能にするシステム１４００が例示されている。たとえば、システム１４００は、アクセス端末内に常駐することができる。システム１４００は、機能ブロックを含むものとして表されており、プロセッサ、ソフトウェア、またはこれらの組み合わせ（たとえば、ファームウェア）によって実装される機能を表す機能ブロックとすることも可能であることを了解されたい。システム１４００は、連携動作しうる電気コンポーネントの論理グループ１４０２を含む。たとえば、論理グループ１４０２は、アクセス端末１４０４に関連するリソース利用率を追跡するための電気コンポーネントを備えることができる。さらに、論理グループ１４０２は、アクセス端末１４０６に関連するリソース利用率に応じて制御プロトコルデータユニット（ＰＤＵ）を生成するための電気コンポーネントも備えることができる。さらに、論理グループ１４０２は、ダウンリンクデータ伝送レート１４０８を制御するために制御ＰＤＵを基地局に送信するための電気コンポーネントを備えることができる。それに加えて、システム１４００は、電気コンポーネント１４０４、１４０６、および１４０８に関連付けられている機能を実行するための命令を保持するメモリ１４１０を備えることができる。電気コンポーネント１４０４、１４０６、および１４０８のうちの１つまたは複数は、メモリ１４１０の外部にあるものとして示されているが、メモリ１４１０に存在していてもよいことを理解されたい。
【０１１３】
図１５を参照すると、無線通信環境内でチャネル品質インジケータ（ＣＱＩ）レポートを使用して基地局へのフロー制御フィードバックを生成することを可能にするシステム１５００が例示されている。たとえば、システム１５００は、アクセス端末内に常駐することができる。図に示されているように、システム１５００は、プロセッサ、ソフトウェア、またはこれらの組み合わせ（たとえば、ファームウェア）によって実装される機能を表すことができる機能ブロックを備える。システム１５００は、連携動作しうる電気コンポーネントの論理グループ１５０２を含む。論理グループ１５０２は、アクセス端末１５０４に関連するリソース利用率を検出するための電気コンポーネントを備えることができる。さらに、論理グループ１５０２は、アクセス端末１５０６に関連するリソース利用率に応じて選択された値を含むチャネル品質インジケータ（ＣＱＩ）レポートを生成するための電気コンポーネントも備えることができる。さらに、論理グループ１５０２は、ダウンリンクデータ伝送レート１５０８を制御するために選択された値を含むＣＱＩレポートを基地局に送信するための電気コンポーネントを備えることができる。それに加えて、システム１５００は、電気コンポーネント１５０４、１５０６、および１５０８に関連付けられている機能を実行するための命令を保持するメモリ１５１０を備えることができる。電気コンポーネント１５０４、１５０６、および１５０８は、メモリ１５０８の外部にあるものとして示されているが、メモリ１５１０内に存在していてもよいことは理解されるであろう。
【０１１４】
図１６を参照すると、無線通信環境内でフロー制御フィードバックを使用してダウンリンクデータ伝送レートを調節することを可能にするシステム１６００が例示されている。たとえば、システム１６００は、少なくとも部分的には基地局内に配置されうる。システム１６００は、機能ブロックを含むものとして表されており、プロセッサ、ソフトウェア、またはこれらの組み合わせ（たとえば、ファームウェア）によって実装される機能を表す機能ブロックとすることも可能であることを了解されたい。システム１６００は、連携動作しうる電気コンポーネントの論理グループ１６０２を含む。たとえば、論理グループ１６０２は、アクセス端末１６０４からフロー制御フィードバックを供給する制御プロトコルデータユニット（ＰＤＵ）を取得するための電気コンポーネントを備えることができる。さらに、論理グループ１６０２は、フロー制御フィードバック１６０６を識別するために制御ＰＤＵを評価するための電気コンポーネントを備えることができる。さらに、論理グループ１６０２は、制御ＰＤＵ１６０８によって供給されるフロー制御フィードバックに基づいてアクセス端末のダウンリンクデータ伝送レートを変更するための電気コンポーネントを備えることができる。それに加えて、システム１６００は、電気コンポーネント１６０４、１６０６、および１６０８に関連付けられている機能を実行するための命令を保持するメモリ１６１０を備えることができる。電気コンポーネント１６０４、１６０６、および１６０８のうちの１つまたは複数は、メモリ１６１０の外部にあるものとして示されているが、メモリ１６１０に存在していてもよいことを理解されたい。
【０１１５】
図１７を参照すると、無線通信環境内でフロー制御フィードバックを使用してダウンリンクデータ伝送レートを変更することを可能にするシステム１７００が例示されている。たとえば、システム１７００は、少なくとも部分的には基地局内に配置されうる。システム１７００は、機能ブロックを含むものとして表されており、プロセッサ、ソフトウェア、またはこれらの組み合わせ（たとえば、ファームウェア）によって実装される機能を表す機能ブロックとすることも可能であることを了解されたい。システム１７００は、連携動作しうる電気コンポーネントの論理グループ１７０２を含む。たとえば、論理グループ１７０２は、アクセス端末１７０４からフロー制御フィードバックに対応する値を含むチャネル品質インジケータ（ＣＱＩ）レポートを取得するための電気コンポーネントを備えることができる。さらに、論理グループ１７０２は、フロー制御フィードバック１７０６を識別するためにＣＱＩレポートに含まれる値を分析するための電気コンポーネントを備えることができる。さらに、論理グループ１７０２は、ＣＱＩレポート１７０８によって供給されるフロー制御フィードバックに基づいてアクセス端末のダウンリンクデータ伝送レートを修正するための電気コンポーネントを備えることができる。それに加えて、システム１７００は、電気コンポーネント１７０４、１７０６、および１７０８に関連付けられている機能を実行するための命令を保持するメモリ１７１０を備えることができる。電気コンポーネント１７０４、１７０６、および１７０８のうちの１つまたは複数は、メモリ１７１０の外部にあるものとして示されているが、メモリ１７１０に存在していてもよいことを理解されたい。
【０１１６】
上述した内容は、１つまたは複数の実施形態の複数の実施例を含む。もちろん、上述の実施形態を説明するためにコンポーネントまたは方法の考えられるすべての組み合わせを説明することは不可能であるが、当業者であれば、さまざまな実施形態のさらに多くの組み合わせおよび置換が可能であることを了解できる。したがって、説明されている実施形態は、付属の請求項の精神と範囲内に収まるすべてのそのような改変、修正、および変更形態を包含することを意図されている。さらに、「含む（ｉｎｃｌｕｄｅ）」という言い回しが詳細な説明または請求項で使用されている範囲において、「備える（ｃｏｍｐｒｉｓｉｎｇ）」が使用された場合に請求項の中で接続語として解釈されるのでこのような用語は「備える（ｃｏｍｐｒｉｓｉｎｇ）」という用語と同様の使い方で包含的であることが意図される。
以下に本願出願の当初の特許請求の範囲について記載された発明を付記する。
［１］
無線通信環境内でダウンリンクフロー制御を行うことを容易にする方法であって、
アクセス端末に関連するリソース使用量を監視することと、
前記アクセス端末に関連する前記リソース使用量に基づいて制御プロトコルデータユニット（ＰＤＵ）を生成することと、
ダウンリンクデータ伝送レートを管理するために前記制御ＰＤＵを基地局に送信することと、
を備える方法。
［２］
前記制御ＰＤＵは、メディアアクセス制御（ＭＡＣ）制御ＰＤＵである［１］に記載の方法。
［３］
前記アクセス端末のリソース使用量が第１の閾値より高いと判定された場合にタイプ１のＭＡＣ制御ＰＤＵを生成することと、
前記アクセス端末のリソース使用量が第２の閾値より低いと判定された場合にタイプ２のＭＡＣ制御ＰＤＵを生成することと、
をさらに備える［２］に記載の方法。
［４］
前記アクセス端末のリソース使用量が第１の閾値より高いと判定された場合に０に設定された２進数値を含むタイプ１のＭＡＣ制御ＰＤＵを生成することと、
前記アクセス端末のリソース使用量が第２の閾値より低いと判定された場合に１に設定された２進数値を含むタイプ１のＭＡＣ制御ＰＤＵを生成することと、
をさらに備える［２］に記載の方法。
［５］
所定のタイムウィンドウ内に前記アクセス端末で生じる平均検出ダウンリンクデータ伝送レートを決定することと、
前記アクセス端末に対する好ましいダウンリンクデータ伝送レートを前記監視されているリソース使用量に応じて識別することと、
前記好ましいダウンリンクデータ伝送レートが、前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含むタイプ１のＭＡＣ制御ＰＤＵを生成することと、
前記好ましいダウンリンクデータ伝送レートが、前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含むタイプ２のＭＡＣ制御ＰＤＵを生成することと、
をさらに備える［２］に記載の方法。
［６］
前記監視されているリソース使用量に基づいて、前記アクセス端末に対するその後の伝送のために基地局によって使用される更新されたダウンリンクデータ伝送レートを決定することと、
前記更新されたダウンリンクデータ伝送レートを前記基地局によって使用される以前信号を送ったダウンリンクデータ伝送レートと比較することと、
前記更新されたダウンリンクデータ伝送レートが、前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含むタイプ１のＭＡＣ制御ＰＤＵを生成することと、
前記更新されたダウンリンクデータ伝送レートが、前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含むタイプ２のＭＡＣ制御ＰＤＵを生成することと、
をさらに備える［２］に記載の方法。
［７］
前記制御ＰＤＵは、パケットデータコンバージェンスプロトコル（ＰＤＣＰ）制御ＰＤＵである［１］に記載の方法。
［８］
前記ＰＤＣＰ制御ＰＤＵは、最高のＰＤＣＰシーケンス番号（ＳＮ）、ハイパーフレーム番号（ＨＦＮ）プラスＰＤＣＰ  ＳＮを含む最高のカウント−Ｃ、または前記基地局によって送信されることが許されるカウント−Ｃの一部のうちの少なくとも１つを示す［７］に記載の方法。
［９］
前記ＰＤＣＰ制御ＰＤＵは、伝送時間間隔（ＴＴＩ）内に前記基地局によって送信されることが許されるＰＤＣＰ  ＰＤＵの最大数を示す［７］に記載の方法。
［１０］
前記ＰＤＣＰ制御ＰＤＵは、オン状態とオフ状態との間の関連するＰＤＣＰベアラを切り換える［７］に記載の方法。
［１１］
アクセス端末に関連する検出されたリソース使用量に基づいて制御プロトコルデータユニット（ＰＤＵ）を生成すること、およびダウンリンクデータ伝送レートを制御するために前記制御ＰＤＵを基地局に送信することに関係する命令を保持するメモリと、
前記メモリと連結され、前記メモリ内に保持されている前記命令を実行するように構成されている、プロセッサと、
を備える無線通信装置。
［１２］
前記メモリは、前記アクセス端末のリソース使用量が、第１の閾値より高い場合に第１のタイプの制御ＰＤＵを生成すること、および前記アクセス端末のリソース使用量が、第２の閾値より低い場合に第２のタイプの制御ＰＤＵを生成することに関係する命令をさらに保持する［１１］に記載の無線通信装置。
［１３］
前記メモリは、前記アクセス端末のリソース使用量が、第１の閾値より高い場合に０に設定されている２進数値を含む制御ＰＤＵを生成することと、前記アクセス端末のリソース使用量が、第２の閾値より低い場合に１に設定されている２進数値を含む制御ＰＤＵを生成することとに関係する命令をさらに保持する［１１］に記載の無線通信装置。
［１４］
前記メモリは、所定のタイムウィンドウ内に前記アクセス端末で生じる平均検出ダウンリンクデータ伝送レートを決定することと、前記アクセス端末に対する好ましいダウンリンクデータ伝送レートを識別することと、前記好ましいダウンリンクデータ伝送レートが、前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含む第１のタイプの制御ＰＤＵを生成することと、前記好ましいダウンリンクデータ伝送レートが、前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含む第２のタイプの制御ＰＤＵを生成することと、に関係する命令をさらに保持する［１１］に記載の無線通信装置。
［１５］
前記メモリは、前記アクセス端末に対するその後の伝送のために基地局によって使用される更新されたダウンリンクデータ伝送レートを決定することと、前記更新されたダウンリンクデータ伝送レートを前記基地局によって使用される以前信号を送ったダウンリンクデータ伝送レートと比較することと、前記更新されたダウンリンクデータ伝送レートが、前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含む第１のタイプのＭＡＣ制御ＰＤＵを生成することと、前記更新されたダウンリンクデータ伝送レートが、前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含む第２のタイプのＭＡＣ制御ＰＤＵを生成することと、に関係する命令をさらに保持する［１１］に記載の無線通信装置。
［１６］
前記制御ＰＤＵは、最高のパケットデータコンバージェンスプロトコル（ＰＤＣＰ）シーケンス番号（ＳＮ）、ハイパーフレーム番号（ＨＦＮ）プラスＤＰＣＰ  ＳＮを含む最高のカウント−Ｃ、または前記基地局によって送信されることが許されるカウント−Ｃの一部のうちの少なくとも１つを示す［１１］に記載の無線通信装置。
［１７］
前記制御ＰＤＵは、伝送時間間隔（ＴＴＩ）内に前記基地局によって送信されることが許されるパケットデータコンバージェンスプロトコル（ＰＤＣＰ）ＰＤＵの最大数を示す［１１］に記載の無線通信装置。
［１８］
前記制御ＰＤＵは、関連するパケットデータコンバージェンスプロトコル（ＰＤＣＰ）ベアラのオン状態とオフ状態とを切り換える［１１］に記載の無線通信装置。
［１９］
無線通信環境内で制御プロトコルデータユニット（ＰＤＵ）を使用してフロー制御フィードバックを基地局に供給することを可能にする無線通信装置であって、
アクセス端末に関連するリソース利用率を追跡するための手段と、
前記アクセス端末に関連する前記リソース利用率に応じて制御ＰＤＵを生成するための手段と、
ダウンリンクデータ伝送レートを制御するために前記制御ＰＤＵを基地局に送信するための手段と、
を備える無線通信装置。
［２０］
前記制御ＰＤＵは、メディアアクセス制御（ＭＡＣ）制御ＰＤＵである［１９］に記載の無線通信装置。
［２１］
前記アクセス端末のリソース利用率が第１の閾値より高いと判定された場合にタイプ１のＭＡＣ制御ＰＤＵを生成するための手段と、
前記アクセス端末のリソース利用率が第２の閾値より低いと判定された場合にタイプ２のＭＡＣ制御ＰＤＵを生成するための手段と、
をさらに備える［２０］に記載の無線通信装置。
［２２］
前記アクセス端末のリソース利用率が第１の閾値より高いと判定された場合に第１の値に設定されている２進数値を含むタイプ１のＭＡＣ制御ＰＤＵを生成するための手段と、
前記アクセス端末のリソース利用率が第２の閾値より低いと判定された場合に第２の値に設定された２進数値を含むタイプ１のＭＡＣ制御ＰＤＵを生成するための手段と、
をさらに備える［２０］に記載の無線通信装置。
［２３］
所定のタイムウィンドウ内に前記アクセス端末で生じる平均検出ダウンリンクデータ伝送レートを決定するための手段と、
前記アクセス端末に対する好ましいダウンリンクデータ伝送レートを前記監視されているリソース利用率に応じて識別するための手段と、
前記好ましいダウンリンクデータ伝送レートが、前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含むタイプ１のＭＡＣ制御ＰＤＵを生成するための手段と、
前記好ましいダウンリンクデータ伝送レートが、前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含むタイプ２のＭＡＣ制御ＰＤＵを生成するための手段と、
をさらに備える［２０］に記載の無線通信装置。
［２４］
前記監視されているリソース利用率に基づいて、前記アクセス端末に対するその後の伝送のために基地局によって使用される更新されたダウンリンクデータ伝送レートを決定するための手段と、
前記更新されたダウンリンクデータ伝送レートを前記基地局によって使用される以前信号を送ったダウンリンクデータ伝送レートと比較するための手段と、
前記更新されたダウンリンクデータ伝送レートが、前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含むタイプ１のＭＡＣ制御ＰＤＵを生成するための手段と、
前記更新されたダウンリンクデータ伝送レートが、前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含むタイプ２のＭＡＣ制御ＰＤＵを生成するための手段と、
をさらに備える［２０］に記載の無線通信装置。
［２５］
前記制御ＰＤＵは、パケットデータコンバージェンスプロトコル（ＰＤＣＰ）制御ＰＤＵである［１９］に記載の無線通信装置。
［２６］
前記ＰＤＣＰ制御ＰＤＵは、前記基地局によって送信されることが許される最高のＰＤＣＰシーケンス番号（ＳＮ）、前記基地局によって送信されることが許されるハイパーフレーム番号（ＨＦＮ）プラスＰＤＣＰ  ＳＮを含む最高のカウント−Ｃ、前記基地局によって送信されることが許されるカウント−Ｃの一部、または伝送時間間隔（ＴＴＩ）内に前記基地局によって送信されることが許されるＰＤＣＰ  ＰＤＵの最大数のうちの少なくとも１つを示す［２５］に記載の無線通信装置。
［２７］
前記ＰＤＣＰ制御ＰＤＵは、関連するＰＤＣＰベアラのオン状態とオフ状態とを切り換える［２５］に記載の無線通信装置。
［２８］
アクセス端末に関連する検出されたリソース使用量に基づいて制御プロトコルデータユニット（ＰＤＵ）を生成するためのコードと、
ダウンリンクデータ伝送レートを制御するために前記制御ＰＤＵを基地局に送信するためのコードと、を備える、
コンピュータ可読媒体を備える、
コンピュータプログラム製品。
［２９］
前記コンピュータ可読媒体は、
前記アクセス端末のリソース使用量が第１の閾値より高い場合に第１のタイプの制御ＰＤＵを生成するためのコードと、
前記アクセス端末のリソース使用量が第２の閾値より低い場合に第２のタイプの制御ＰＤＵを生成するためのコードと、
をさらに備える［２８］に記載のコンピュータプログラム製品。
［３０］
前記コンピュータ可読媒体は、
前記アクセス端末のリソース使用量が第１の閾値より高い場合に０に設定されている２進数値を含む制御ＰＤＵを生成するためのコードと、
前記アクセス端末のリソース使用量が第２の閾値より低い場合に１に設定されている２進数値を含む制御ＰＤＵを生成するためのコードと、
をさらに備える［２８］に記載のコンピュータプログラム製品。
［３１］
前記コンピュータ可読媒体は、
所定のタイムウィンドウ内に前記アクセス端末で生じる平均検出ダウンリンクデータ伝送レートを決定するためのコードと、
前記アクセス端末に対する好ましいダウンリンクデータ伝送レートを識別するためのコードと、
前記好ましいダウンリンクデータ伝送レートが、前記平均検出ダウンリンクデータ伝送レートより小さい場合に、前記平均検出ダウンリンクデータ伝送レートから前記好ましいダウンリンクデータ伝送レートへの減少割合に対応する第１の選択された値を含む第１のタイプの制御ＰＤＵを生成するためのコードと、
前記好ましいダウンリンクデータ伝送レートが、前記平均検出ダウンリンクデータ伝送レートより大きい場合に、前記平均検出ダウンリンクデータ伝送レートから前記好ましいダウンリンクデータ伝送レートへの増加割合に対応する第２の選択された値を含む第２のタイプの制御ＰＤＵを生成するためのコードと、
をさらに備える［２８］に記載のコンピュータプログラム製品。
［３２］
前記コンピュータ可読媒体は、
前記アクセス端末に対するその後の伝送のために基地局によって使用される更新されたダウンリンクデータ伝送レートを決定するためのコードと、
前記更新されたダウンリンクデータ伝送レートを前記基地局によって使用される以前信号を送ったダウンリンクデータ伝送レートと比較するためのコードと、
前記更新されたダウンリンクデータ伝送レートが、前記以前信号を送ったダウンリンクデータ伝送レートより小さい場合に、前記以前信号を送ったダウンリンクデータ伝送レートから前記更新されたダウンリンクデータ伝送レートへの減少割合に対応する第１の選択された値を含む第１のタイプのＭＡＣ制御ＰＤＵを生成するためのコードと、
前記更新されたダウンリンクデータ伝送レートが、前記以前信号を送ったダウンリンクデータ伝送レートより大きい場合に、前記以前信号を送ったダウンリンクデータ伝送レートから前記更新されたダウンリンクデータ伝送レートへの増加割合に対応する第２の選択された値を含む第２のタイプのＭＡＣ制御ＰＤＵを生成するためのコードと、
をさらに備える［２８］に記載のコンピュータプログラム製品。
［３３］
前記制御ＰＤＵは、前記基地局によって送信されることが許される最高のパケットデータコンバージェンスプロトコル（ＰＤＣＰ）シーケンス番号（ＳＮ）、前記基地局によって送信されることが許されるハイパーフレーム番号（ＨＦＮ）プラスＰＤＣＰ  ＳＮを含む最高のカウント−Ｃ、前記基地局によって送信されることが許されるカウント−Ｃの一部、または伝送時間間隔（ＴＴＩ）内に前記基地局によって送信されることが許されるＰＤＣＰ  ＰＤＵの最大数のうちの１つまたは複数を示す［２８］に記載のコンピュータプログラム製品。
［３４］
前記制御ＰＤＵは、関連するパケットデータコンバージェンスプロトコル（ＰＤＣＰ）ベアラのオン状態とオフ状態とを切り換える［２８］に記載のコンピュータプログラム製品。
［３５］
無線通信環境内でダウンリンクフロー制御を行うことを容易にする方法であって、
アクセス端末に関連するリソース利用度を検出することと、
前記アクセス端末に関連するリソース利用度に応じて選択された値を含むチャネル品質インジケータ（ＣＱＩ）レポートを生成することと、
ダウンリンクデータ伝送レートを制御するために、前記選択された値を含む前記ＣＱＩレポートを基地局に送信することと、
を備える方法。
［３６］
前記基地局によって使用される前記ダウンリンクデータ伝送レートを下げるために、ＣＱＩコード空間内に予約されている第１のフロー制御コードワードを前記ＣＱＩレポートに含まれるように選択することと、
前記基地局によって使用される前記ダウンリンクデータ伝送レートを上げるために、ＣＱＩコード空間内に予約されている第２のフロー制御コードワードを前記ＣＱＩレポートに含まれるように選択することと、
をさらに備える［３５］に記載の方法。
［３７］
所定の期間に前記基地局によって使用される前記ダウンリンクデータ伝送レートを下げるために、ＣＱＩコード空間内に予約されているフロー制御コードワードを前記ＣＱＩレポートに含まれるように選択することをさらに備える［３５］に記載の方法。
［３８］
対応するフロー制御報告間隔において前記選択された値を含む前記ＣＱＩレポートを前記基地局に送信することをさらに備え、各Ｘ番目のＣＱＩ報告間隔は、フロー制御報告間隔であり、Ｘは、整数である［３５］に記載の方法。
［３９］
所定の値を、前記リソース利用度が閾値より大きい場合に前記対応するフロー制御報告間隔において送信される前記ＣＱＩレポートに含めるための値として選択することと、
チャネル状態に依存する測定されたＣＱＩ値を、前記リソース利用度が閾値より低い場合に前記対応するフロー制御報告間隔において送信される前記ＣＱＩレポートに含めるための値として選択することと、
をさらに備える［３８］に記載の方法。
［４０］
前記利用度に対応する係数だけ低減されたチャネル状態に依存する測定されたＣＱＩ値である、リソース依存ＣＱＩ値を、前記利用度が閾値より大きい場合に前記対応するフロー制御報告間隔において送信される前記ＣＱＩレポートに含めるための値として選択することと、
前記測定されたＣＱＩ値を、前記リソース利用度が閾値より低い場合に前記対応するフロー制御報告間隔において送信される前記ＣＱＩレポートに含めるための値として選択することと、
をさらに備える［３８］に記載の方法。
［４１］
アクセス端末に関連するリソース利用度を検出すること、前記アクセス端末に関連する前記リソース利用度に応じて選択された値を含むチャネル品質インジケータ（ＣＱＩ）レポートを生成すること、およびダウンリンクデータ伝送レートを制御するために前記選択された値を含む前記ＣＱＩレポートを基地局に送信すること、に関係する命令を保持するメモリと、
前記メモリと連結され、前記メモリ内に保持されている前記命令を実行するように構成されている、プロセッサと、
を備える無線通信装置。
［４２］
前記メモリは、前記基地局によって使用される前記ダウンリンクデータ伝送レートを下げるために、第１のフロー制御コードワードを前記ＣＱＩレポートに含まれるように選択することと、前記基地局によって使用される前記ダウンリンクデータ伝送レートを上げるために、第２のフロー制御コードワードを前記ＣＱＩレポートに含まれるように選択することと、前記第１のフロー制御コードワードおよび前記第２のフロー制御コードワードがＣＱＩコード空間内に予約されていることと、に関係する命令をさらに保持する［４１］に記載の無線通信装置。
［４３］
前記メモリは、所定の期間の間に前記基地局によって使用される前記ダウンリンクデータ伝送レートを下げるために、ＣＱＩコード空間内に予約されているフロー制御コードワードを前記ＣＱＩレポートに含まれるように選択することに関係する命令をさらに保持する［４１］に記載の無線通信装置。
［４４］
前記メモリは、対応するフロー制御報告間隔において前記選択された値を含む前記ＣＱＩレポートを前記基地局に送信することに関係する命令をさらに保持し、各Ｘ番目のＣＱＩ報告間隔は、フロー制御報告間隔であり、Ｘは、整数である［４１］に記載の無線通信装置。
［４５］
前記メモリは、所定の値を、前記リソース利用度が閾値より高い場合に前記対応するフロー制御報告間隔において送信される前記ＣＱＩレポートに含めるための値として選択することと、チャネル状態に依存する測定されたＣＱＩ値を、前記リソース利用度が閾値より低い場合に前記対応するフロー制御報告間隔において送信される前記ＣＱＩレポートに含めるための値として選択することとに関係する命令をさらに保持する［４４］に記載の無線通信装置。
［４６］
前記メモリは、前記利用度に対応する係数だけ低減されたチャネル状態に依存する測定されたＣＱＩ値である、リソース依存ＣＱＩ値を、前記利用度が閾値より大きい場合に前記対応するフロー制御報告間隔において送信される前記ＣＱＩレポートに含めるための値として選択することと、前記測定されたＣＱＩ値を、前記リソース利用度が閾値より低い場合に前記対応するフロー制御報告間隔において送信される前記ＣＱＩレポートに含めるための値として選択することとに関係する命令をさらに保持する［４４］に記載の無線通信装置。
［４７］
無線通信環境内でチャネル品質インジケータ（ＣＱＩ）レポートを使用して基地局へのフロー制御フィードバックを生成することを可能にする無線通信装置であって、
アクセス端末に関連するリソース利用率を検出するための手段と、
前記アクセス端末に関連する前記リソース利用率に応じて選択された値を含むＣＱＩレポートを生成するための手段と、
ダウンリンクデータ伝送レートを制御するために、前記選択された値を含む前記ＣＱＩレポートを基地局に送信するための手段と、
を備える無線通信装置。
［４８］
前記基地局によって使用される前記ダウンリンクデータ伝送レートを下げるために、ＣＱＩコード空間内に予約されている第１のフロー制御コードワードを前記ＣＱＩレポートに含まれるように選択するための手段と、
前記基地局によって使用される前記ダウンリンクデータ伝送レートを上げるために、ＣＱＩコード空間内に予約されている第２のフロー制御コードワードを前記ＣＱＩレポートに含まれるように選択するための手段と、
をさらに備える［４７］に記載の無線通信装置。
［４９］
所定の期間に前記基地局によって使用される前記ダウンリンクデータ伝送レートを下げるために、ＣＱＩコード空間内に予約されているフロー制御コードワードを前記ＣＱＩレポートに含まれるように選択するための手段をさらに備える［４７］に記載の無線通信装置。
［５０］
対応するフロー制御報告間隔において前記選択された値を含む前記ＣＱＩレポートを前記基地局に送信するための手段をさらに備え、ＣＱＩ報告間隔の所定の部分集合内に含まれる報告間隔がフロー制御報告間隔として使用される［４７］に記載の無線通信装置。
［５１］
所定の値を、前記リソース利用度が閾値より大きい場合に前記対応するフロー制御報告間隔において送信される前記ＣＱＩレポートに含めるための値として選択するための手段と、
チャネル状態に依存する測定されたＣＱＩ値を、前記リソース利用度が閾値より低い場合に前記対応するフロー制御報告間隔において送信される前記ＣＱＩレポートに含めるための値として選択するための手段と、
をさらに備える［５０］に記載の無線通信装置。
［５２］
前記利用度に対応する係数だけ低減されたチャネル状態に依存する測定されたＣＱＩ値である、リソース依存ＣＱＩ値を、前記利用度が閾値より大きい場合に前記対応するフロー制御報告間隔において送信される前記ＣＱＩレポートに含めるための値として選択するための手段と、
前記測定されたＣＱＩ値を、前記リソース利用度が閾値より低い場合に前記対応するフロー制御報告間隔において送信される前記ＣＱＩレポートに含めるための値として選択するための手段と、
をさらに備える［５０］に記載の無線通信装置。
［５３］
アクセス端末に関連するリソース利用度を検出するためのコードと、
前記アクセス端末に関連するリソース利用度に応じて選択された値を含むチャネル品質インジケータ（ＣＱＩ）レポートを生成するためのコードと、
ダウンリンクデータ伝送レートを制御するために、前記選択された値を含む前記ＣＱＩレポートを基地局に送信するためのコードと、を備える、
コンピュータ可読媒体を備える、
コンピュータプログラム製品。
［５４］
前記コンピュータ可読媒体は、
前記基地局によって使用される前記ダウンリンクデータ伝送レートを下げるために、ＣＱＩコード空間内に予約されている第１のフロー制御コードワードを前記ＣＱＩレポートに含まれるように選択するためのコードと、
前記基地局によって使用される前記ダウンリンクデータ伝送レートを上げるために、ＣＱＩコード空間内に予約されている第２のフロー制御コードワードを前記ＣＱＩレポートに含まれるように選択するためのコードと、
をさらに備える［５３］に記載のコンピュータプログラム製品。
［５５］
前記コンピュータ可読媒体は、所定の期間に前記基地局によって使用される前記ダウンリンクデータ伝送レートを下げるために、ＣＱＩコード空間内に予約されているフロー制御コードワードを前記ＣＱＩレポートに含まれるように選択するためのコードをさらに備える［５３］に記載のコンピュータプログラム製品。
［５６］
前記コンピュータ可読媒体は、対応するフロー制御報告間隔において前記選択された値を含む前記ＣＱＩレポートを前記基地局に送信するためのコードをさらに備え、各Ｘ番目のＣＱＩ報告間隔は、フロー制御報告間隔であり、Ｘは、整数である［５３］に記載のコンピュータプログラム製品。
［５７］
前記コンピュータ可読媒体は、
所定の値を、前記リソース利用度が閾値より高い場合に前記対応するフロー制御報告間隔において送信される前記ＣＱＩレポートに含めるための値として選択するためのコードと、
チャネル状態に依存する測定されたＣＱＩ値を、前記リソース利用度が閾値より低い場合に前記対応するフロー制御報告間隔において送信される前記ＣＱＩレポートに含めるための値として選択するためのコードと、
をさらに備える［５６］に記載のコンピュータプログラム製品。
［５８］
前記コンピュータ可読媒体は、
前記利用度に対応する係数だけ低減されたチャネル状態に依存する測定されたＣＱＩ値である、リソース依存ＣＱＩ値を、前記利用度が閾値より大きい場合に前記対応するフロー制御報告間隔において送信される前記ＣＱＩレポートに含めるための値として選択するためのコードと、
前記測定されたＣＱＩ値を、前記リソース利用度が閾値より低い場合に前記対応するフロー制御報告間隔において送信される前記ＣＱＩレポートに含めるための値として選択するためのコードと、
をさらに備える［５６］に記載のコンピュータプログラム製品。
［５９］
無線通信環境内でアクセス端末からのフロー制御フィードバックに基づき前記アクセス端末に対するダウンリンクデータ伝送レートを制御することを容易にする方法であって、
アクセス端末からフロー制御フィードバックを供給する制御プロトコルデータユニット（ＰＤＵ）を受信することと、
前記フロー制御フィードバックを認識するために前記制御ＰＤＵを分析することと、
前記制御ＰＤＵによって供給される前記フロー制御フィードバックに基づいて前記アクセス端末に対するダウンリンクデータ伝送レートを調節することと、
を備える方法。
［６０］
前記制御ＰＤＵの識別されたタイプまたは前記制御ＰＤＵに含まれるものとして認識されている２進数値のうちの少なくとも一方に基づいて前記ダウンリンクデータ伝送レートを調節することをさらに備える［５９］に記載の方法。
［６１］
前記制御ＰＤＵの識別されたタイプに応じて前記ダウンリンクデータ伝送レートを上げるか、下げるかを決定することと、
前記制御ＰＤＵから認識された整数値で制御される割合だけ前記ダウンリンクデータ伝送レートを調節することと、
をさらに備える［５９］に記載の方法。
［６２］
アクセス端末からフロー制御フィードバックに対応する値を含むチャネル品質インジケータ（ＣＱＩ）レポートを受信することと、前記フロー制御フィードバックを決定ために前記ＣＱＩレポートに含まれる前記値を評価することと、前記ＣＱＩレポートによって供給される前記フロー制御フィードバックに基づいて前記アクセス端末に対するダウンリンクデータ伝送レートを調節することとに関係する命令を保持するメモリと、
前記メモリと連結され、前記メモリ内に保持されている前記命令を実行するように構成されている、プロセッサと、
を備える無線通信装置。
［６３］
前記メモリは、前記アクセス端末が輻輳しているかどうかを指示するために前記ＣＱＩレポート内に含まれている値がＣＱＩコード空間内に予約されているフロー制御コードワードであるかどうかを認識することに関係する命令をさらに保持する［６２］に記載の無線通信装置。
［６４］
前記メモリは、前記アクセス端末に生じる輻輳の程度を示す、リソース依存ＣＱＩ値を認識することに関係する命令をさらに保持する［６２］に記載の無線通信装置。
［６５］
無線通信環境内でフロー制御フィードバックを使用してダウンリンクデータ伝送レートを変更することを可能にする無線通信装置であって、
フロー制御フィードバックに対応する値を含むチャネル品質インジケータ（ＣＱＩ）レポートをアクセス端末から取得するための手段と、
前記フロー制御フィードバックを識別するために前記ＣＱＩレポートに含まれる値を分析するための手段と、
前記ＣＱＩレポートによって供給される前記フロー制御フィードバックに基づいて前記アクセス端末に対するダウンリンクデータ伝送レートを修正するための手段と、
を備える無線通信装置。
［６６］
前記アクセス端末が輻輳しているかどうかを指示するために前記ＣＱＩレポート内に含まれている値がＣＱＩコード空間内に予約されているフロー制御コードワードであるかどうかを認識するための手段をさらに備える［６５］に記載の無線通信装置。
［６７］
前記アクセス端末に生じる輻輳の程度を示す、リソース依存ＣＱＩ値を認識するための手段をさらに備える［６５］に記載の無線通信装置。
［６８］
アクセス端末からフロー制御フィードバックを供給する制御プロトコルデータユニット（ＰＤＵ）を取得するためのコードと、
前記フロー制御フィードバックを識別するために前記制御ＰＤＵを評価するためのコードと、
前記制御ＰＤＵによって供給される前記フロー制御フィードバックに基づいて前記アクセス端末に対するダウンリンクデータ伝送レートを変更するためのコードと、を備える、
コンピュータ可読媒体を備える、
コンピュータプログラム製品。
［６９］
前記コンピュータ可読媒体は、前記制御ＰＤＵの識別されたタイプまたは前記制御ＰＤＵに含まれるものとして認識されている２進数値のうちの少なくとも一方に基づいて前記ダウンリンクデータ伝送レートを変更するためのコードをさらに備える［６８］に記載のコンピュータプログラム製品。
［７０］
前記コンピュータ可読媒体は、
前記制御ＰＤＵの識別されたタイプに応じて前記ダウンリンクデータ伝送レートを上げるか、下げるかを決定するためのコードと、
前記制御ＰＤＵから認識された整数値で制御される割合だけ前記ダウンリンクデータ伝送レートを調節するためのコードと、
をさらに備える［６８］に記載のコンピュータプログラム製品。
【図１】
0005425804.tif 000002
【図２】
0005425804.tif 000003
【図３】
0005425804.tif 000004
【図４】
0005425804.tif 000005
【図５】
0005425804.tif 000006
【図６】
0005425804.tif 000007
【図７】
0005425804.tif 000008
【図８】
0005425804.tif 000009
【図９】
0005425804.tif 000010
【図１０】
0005425804.tif 000011
【図１１】
0005425804.tif 000012
【図１２】
0005425804.tif 000013
【図１３】
0005425804.tif 000014
【図１４】
0005425804.tif 000015
【図１５】
0005425804.tif 000016
【図１６】
0005425804.tif 000017
【図１７】
0005425804.tif 000018